(57)【要約】  ＯＦＤＭを使用するセルラーシステムで順方向リンクの同期チャンネル及び共通パイロットチャンネル構造、そして移動局の初期セル探索方法及びハンドオーバーのための隣接セル探索方法が要求されている。  本発明はＯＦＤＭセルラーシステムに関し、無線通信システムにおける順方向同期信号伝送方法において、複数個のシンクブロックで構成されるフレームを生成する段階と、前記フレームを順方向リンクを通じて伝送する段階を含み、前記フレームはシンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍コードワードの組み合わせからセル識別子を特定することを特徴とし、ＯＦＤＭ方式で効率的にセル探索時間を減らすことができる。
2009545226.tif 000002
【特許請求の範囲】
【請求項１】
無線通信システムにおける順方向同期信号伝送方法において、
複数個のシンクブロックで構成されるフレームを生成する段階と、
前記フレームを順方向リンクを通じて伝送する段階を含み、
前記フレームは、
シンクブロックタイミング情報を提供する１次同期チャンネルシーケンス及びフレームタイミング情報を提供する複数個の２次同期チャンネルシーケンスを含み、
前記１次同期チャンネルシーケンスと前記複数個の２次同期チャンネルシーケンスによって特定される跳躍コードワードの組み合わせからセル識別子を特定することを特徴とする順方向同期信号伝送方法。
【請求項２】
前記跳躍コードワードは無線通信システムで使用される全体セル識別子のうちの一部を指定し、前記１次同期チャンネルシーケンスは前記跳躍コードワードによって指定された一部セル識別子の中で１つのセル識別子を特定することを特徴とする、請求項１に記載の順方向同期信号伝送方法。
【請求項３】
前記１次同期チャンネルシーケンス個数と前記跳躍コードワード個数の掛けは無線通信システムで使用される全体セル識別子個数と同一であることを特徴とする、請求項１に記載の順方向同期信号伝送方法。
【請求項４】
前記１次同期チャンネルシーケンスは無線通信システムで使用される複数個の１次同期チャンネルシーケンスの中で選択されることを特徴とする、請求項１に記載の順方向同期信号伝送方法。
【請求項５】
前記１次同期チャンネルシーケンスは前記フレーム内シンクブロックごとに同一位置に繰り返して配置されることを特徴とする、請求項１に記載の順方向同期信号伝送方法。
【請求項６】
前記１次同期チャンネルシーケンスと前記２次同期チャンネルシーケンスは前記フレーム内隣接したシンボル区間でＴＤＭ方式で配置されることを特徴とする、請求項１に記載の順方向同期信号伝送方法。
【請求項７】
前記１次同期チャンネルシーケンスと前記２次同期チャンネルシーケンスは前記フレーム内同一シンボル区間でＦＤＭ方式で配置されることを特徴とする、請求項１に記載の順方向同期信号伝送方法。
【請求項８】
無線通信システムにおける順方向同期信号伝送方法において、
複数個のシンクブロックで構成されるフレームを生成する段階と、
前記フレームを順方向リンクを通じて伝送する段階を含み、
前記フレームは、
シンクブロックタイミング情報を提供する１次同期チャンネルシーケンス及びフレームタイミング情報を提供する複数個の２次同期チャンネルシーケンスを含み、
前記複数個の２次同期チャンネルシーケンスによって特定される跳躍コードワードはセル識別子と一対一マッピングされることを特徴とする順方向同期信号伝送方法。
【請求項９】
前記１次同期チャンネルシーケンスは無線通信システムで使用される複数個の１次同期チャンネルシーケンスの中で選択され、前記無線通信システムで使用される全体識別子のうちの一部を指定することを特徴とする、請求項８に記載の順方向同期信号伝送方法。
【請求項１０】
前記１次同期チャンネルシーケンスは前記フレーム内でシンクブロックごとに同一位置に繰り返して配置することを特徴とする、請求項８に記載の順方向同期信号伝送方法。
【請求項１１】
前記１次同期チャンネルシーケンスと前記２次同期チャンネルシーケンスは前記フレーム内隣接したシンボル区間でＴＤＭ方式で配置することを特徴とする、請求項８に記載の順方向同期信号伝送方法。
【請求項１２】
前記１次同期チャンネルシーケンスと前記２次同期チャンネルシーケンスは前記フレーム内同一シンボル区間でＦＤＭ方式で配置することを特徴とする、請求項８に記載の順方向同期信号伝送方法。
【請求項１３】
無線通信システムで順方向同期信号を利用したセル識別子検出方法において、
複数個のシンクブロックで構成されるフレームを受信する段階を含み、
前記フレームに含まれた１次同期チャンネルシーケンスからシンクブロックタイミングを抽出し、前記フレームに含まれた複数個の２次同期チャンネルシーケンスからフレームタイミング情報及び前記複数個の２次同期チャンネルシーケンスによって特定される跳躍コードワードを抽出して前記１次同期チャンネルシーケンス及び前記跳躍コードワードの組み合わせからセル識別子を検出することを特徴とする順方向同期信号を利用したセル識別子検出方法。
【請求項１４】
前記跳躍コードワードを利用して無線通信システムで使用される全体セル識別子のうちの一部を特定し、前記１次同期チャンネルシーケンスを利用して前記跳躍コードワードによって指定された一部セル識別子の中で１つのセル識別子を検出することを特徴とする、請求項１３に記載の順方向同期信号を利用したセル識別子検出方法。
【請求項１５】
無線通信システムで使用される全ての１次同期チャンネルシーケンス及び跳躍コードワードを利用して前記１次同期チャンネルシーケンス個数と前記跳躍コードワード個数の倍数（乗数）と同一な個数のセル識別子を検出することを特徴とする、請求項１３に記載の順方向同期信号を利用したセル識別子検出方法。
【請求項１６】
無線通信システムで使用される複数個の１次同期チャンネルシーケンスの中で選択された１次同期チャンネルシーケンスを利用してセル識別子を検出することを特徴とする、請求項１３に記載のセル識別子検出方法。
【請求項１７】
無線通信システムにおける順方向同期信号伝送装置において、
シンクブロックタイミング情報を提供する１次同期チャンネルシーケンス及びフレームタイミング情報を提供する複数個の２次同期チャンネルシーケンスを含み、前記１次同期チャンネルシーケンスと前記複数個の２次同期チャンネルシーケンスによって特定される跳躍コードワードの組み合わせからセル識別子を特定し、複数個のシンクブロックで構成されるフレームを生成するフレーム生成部と、
前記フレームを順方向リンクを通じて伝送するフレーム伝送部を含むことを特徴とする順方向同期信号伝送装置。
【請求項１８】
前記跳躍コードワードは無線通信システムで使用される全体セル識別子のうちの一部を指定し、前記１次同期チャンネルシーケンスは前記跳躍コードワードによって指定された一部セル識別子の中で１つのセル識別子を特定することを特徴とする、請求項１７に記載の順方向同期信号伝送装置。
【請求項１９】
前記１次同期チャンネルシーケンス個数と前記跳躍コードワード個数の掛けは無線通信システムで使用される全体セル識別子個数と同一であることを特徴とする、請求項１７に記載の順方向同期信号伝送装置。
【請求項２０】
前記１次同期チャンネルシーケンスは無線通信システムで使用される複数個の１次同期チャンネルシーケンスの中で選択されたことを特徴とする、請求項１７に記載の順方向同期信号伝送装置。
【請求項２１】
前記１次同期チャンネルシーケンスは前記フレーム内シンクブロックごとに同一位置に繰り返して配置されることを特徴とする、請求項１７に記載の順方向同期信号伝送装置。
【請求項２２】
前記１次同期チャンネルシーケンスと前記２次同期チャンネルシーケンスは前記フレーム内隣接したシンボル区間でＴＤＭ方式で配置されることを特徴とする、請求項１７に記載の順方向同期信号伝送装置。
【請求項２３】
前記１次同期チャンネルシーケンスと前記２次同期チャンネルシーケンスは前記フレーム内同一シンボル区間でＦＤＭ方式で配置されることを特徴とする、請求項１７に記載の順方向同期信号伝送装置。
【請求項２４】
無線通信システムにおける順方向同期信号伝送装置において、
シンクブロックタイミング情報を提供する１次同期チャンネルシーケンス及びフレームタイミング情報を提供する複数個の２次同期チャンネルシーケンスを含み、前記複数個の２次同期チャンネルシーケンスによって特定される跳躍コードワードはセル識別子と一対一マッピングし、複数個のシンクブロックで構成されるフレームを生成するフレーム生成部と、
前記フレームを順方向リンクを通じて伝送するフレーム伝送部を含むことを特徴とする順方向同期信号伝送装置。
【請求項２５】
前記１次同期チャンネルシーケンスは無線通信システムで使用される複数個の１次同期チャンネルシーケンスの中で選択され、前記無線通信システムで使用される全体識別子のうちの一部を指定することを特徴とする、請求項２４に記載の順方向同期信号伝送装置。
【請求項２６】
前記１次同期チャンネルシーケンスは前記フレーム内シンクブロックごとに同一位置に繰り返して配置されることを特徴とする、請求項２４に記載の順方向同期信号伝送装置。
【請求項２７】
前記１次同期チャンネルシーケンスと前記２次同期チャンネルシーケンスは前記フレーム内隣接したシンボル区間でＴＤＭ方式で配置されることを特徴とする、請求項２４に記載の順方向同期信号伝送方法。
【請求項２８】
前記１次同期チャンネルシーケンスと前記２次同期チャンネルシーケンスは前記フレーム内同一シンボル区間でＦＤＭ方式で配置されることを特徴とする、請求項２４に記載の順方向同期信号伝送装置。
【請求項２９】
無線通信システムで順方向同期信号を利用したセル識別子検出装置において、
複数個のシンクブロックで構成されるフレームを受信するフレーム受信部を含み、
前記フレームに含まれた１次同期チャンネルシーケンスからシンクブロックタイミングを抽出し、前記フレームに含まれた複数個の２次同期チャンネルシーケンスからフレームタイミング情報及び前記複数個の２次同期チャンネルシーケンスによって特定される跳躍コードワードを抽出して、前記１次同期チャンネルシーケンス及び前記跳躍コードワードの組み合わせからセル識別子を検出することを特徴とする順方向同期信号を利用したセル識別子検出装置。
【請求項３０】
前記跳躍コードワードを利用して無線通信システムで使用される全体セル識別子のうちの一部を特定し、前記１次同期チャンネルシーケンスを利用して前記跳躍コードワードによって指定された一部セル識別子の中で１つのセル識別子を検出することを特徴とする、請求項２９に記載の順方向同期信号を利用したセル識別子検出装置。
【請求項３１】
無線通信システムで使用される全ての１次同期チャンネルシーケンス及び跳躍コードワードを利用して前記１次同期チャンネルシーケンス個数と前記跳躍コードワード個数の掛けと同一個数のセル識別子を検出することを特徴とする、請求項２９に記載の順方向同期信号を利用したセル識別子検出装置。
【請求項３２】
無線通信システムで使用される複数個の１次同期チャンネルシーケンスの中で選択された１次同期チャンネルシーケンスを利用してセル識別子を検出することを特徴とする、請求項２９に記載のセル識別子検出装置。
【請求項３３】
無線通信システムにおける順方向同期信号として使用される複数個のシンクブロックで構成される順方向リンクフレームにおいて、
シンクブロックタイミング情報を提供する１次同期チャンネルシーケンス及びフレームタイミング情報を提供する複数個の２次同期チャンネルシーケンスを含み、
前記１次同期チャンネルシーケンスと前記複数個の２次同期チャンネルシーケンスによって特定される跳躍コードワードの組み合わせからセル識別子を特定することを特徴とする順方向リンクフレーム。
【請求項３４】
前記跳躍コードワードは無線通信システムで使用される全体セル識別子のうちの一部を指定し、前記１次同期チャンネルシーケンスは前記跳躍コードワードによって指定された一部セル識別子の中で１つのセル識別子を特定することを特徴とする、請求項３３に記載の順方向リンクフレーム。
【請求項３５】
前記１次同期チャンネルシーケンス個数と前記跳躍コードワード個数の掛けは無線通信システムで使用される全体セル識別子個数と同一であることを特徴とする、請求項３３に記載の順方向リンクフレーム。
【請求項３６】
前記１次同期チャンネルシーケンスは無線通信システムで使用される複数個の１次同期チャンネルシーケンスの中で選択されたことを特徴とする、請求項３３に記載の順方向リンクフレーム。
【請求項３７】
前記１次同期チャンネルシーケンスは前記フレーム内でシンクブロック同一位置に繰り返して配置されることを特徴とする、請求項３３に記載の順方向リンクフレーム。
【請求項３８】
前記１次同期チャンネルシーケンスと前記２次同期チャンネルシーケンスは前記フレーム内隣接したシンボル区間でＴＤＭ方式で配置されることを特徴とする、請求項３３に記載の順方向リンクフレーム。
【請求項３９】
前記１次同期チャンネルシーケンスと前記２次同期チャンネルシーケンスは前記フレーム内同一シンボル区間でＦＤＭ方式で配置されることを特徴とする、請求項３３に記載の順方向リンクフレーム。
【請求項４０】
無線通信システムにおける順方向同期信号として使用される複数個のシンクブロックで構成される順方向リンクフレームにおいて、
シンクブロックタイミング情報を提供する１次同期チャンネルシーケンス及びフレームタイミング情報を提供する複数個の２次同期チャンネルシーケンスを含み、
前記複数個の２次同期チャンネルシーケンスによって特定される跳躍コードワードはセル識別子と一対一マッピングされることを特徴とする順方向リンクフレーム。
【請求項４１】
前記１次同期チャンネルシーケンスは無線通信システムで使用される複数個の１次同期チャンネルシーケンスの中で選択され、前記無線通信システムで使用される全体識別子のうちの一部を指定することを特徴とする、請求項４０に記載の順方向リンクフレーム。
【請求項４２】
前記１次同期チャンネルシーケンスは前記フレーム内シンクブロックごとに同一位置に繰り返して配置されることを特徴とする、請求項４０に記載の順方向リンクフレーム。
【請求項４３】
前記１次同期チャンネルシーケンスと前記２次同期チャンネルシーケンスは前記フレーム内隣接したシンボル区間でＴＤＭ方式で配置されることを特徴とする、請求項４０に記載の順方向リンクフレーム。
【請求項４４】
前記１次同期チャンネルシーケンスと前記２次同期チャンネルシーケンスは前記フレーム内同一シンボル区間でＦＤＭ方式で配置されることを特徴とする、請求項４０に記載の順方向リンクフレーム。
【請求項４５】
請求項１乃至１２のいずれかに記載の順方向同期信号伝送方法を行うプログラムを記録したコンピュータで読み込むことができる記録媒体。
【請求項４６】
請求項１３乃至１６のいずれかに記載のセル識別子検出方法を行うプログラムを記録したコンピュータで読み込むことができる記録媒体。
【発明の詳細な説明】
【技術分野】
【０００１】
本発明はＯＦＤＭセルラーシステムに関し、より詳しくはＯＦＤＭセルラーシステムにおける順方向リンクセル識別のための同期チャンネルコード割り当て方法、順方向同期信号伝送方法、初期セル及び隣接セルを探索する方法及びこれを利用する移動局、基地局、システム及びフレーム構造に関するものである。
【背景技術】
【０００２】
ＷＣＤＭＡ方式では順方向リンクの基地局区別のためにシステムで全５１２個の長いＰＮスクランブリングコード（ｌｏｎｇ ＰＮ ｓｃｒａｍｂｌｉｎｇ ｃｏｄｅ）を使用し、隣接した基地局は互いに異なる長いＰＮスクランブリングコードを順方向リンクチャンネルのスクランブリングコードとして使用する。移動局に電源が印加された時、移動局は自分が属した基地局（受信信号が最も大きい基地局）のシステムタイミング及び長いＰＮスクランブリングコードＩＤ（普通「セル識別子」とも言われる）を獲得しなければならない。これを移動局のセル探索過程と言う。
【０００３】
ＷＣＤＭＡではセル探索を容易にするために５１２個の長いスクランブリングコードを６４個のグループに分け、順方向リンクに１次同期チャンネル及び２次同期チャンネルを置く。１次同期チャンネルは移動局にスロット同期を獲得させ、２次同期チャンネルは移動局に１０ｍｓｅｃフレーム境界（ｆｒａｍｅ ｂｏｕｎｄａｒｙ）及び長いＰＮスクランブリングコードグループＩＤ情報を獲得させる。
【０００４】
ＷＣＤＭＡ方式のセル探索方式は大きく３段階方式からなる。１段階は１次同期チャンネルコード（Ｐｒｉｍａｒｙ Ｓｙｎｃｈｒｏｎｉｚａｔｉｏｎ Ｃｈａｎｎｅｌ Ｃｏｄｅ、ＰＳＣ）を利用して移動局がスロット同期を獲得する段階である。ＷＣＤＭＡでは１０ｍｓｅｃごとに１５個のスロット単位で同一なＰＳＣが伝送され、全ての基地局が伝送するＰＳＣは同一信号である。１段階では前記ＰＳＣに対する整合フィルターを利用してスロット同期を獲得する。
【０００５】
２段階では１段階で獲得したスロットタイミング情報及び２次同期チャンネルコード（Ｓｅｃｏｎｄａｒｙ Ｓｃｒａｍｂｌｉｎｇ Ｃｏｄｅ、ＳＳＣ）を利用して長いＰＮスクランブリングコードグループ情報及び１０ｍｓｅｃフレーム境界を獲得する。
【０００６】
３段階では前段階で獲得した１０ｍｓｅｃフレーム境界及び長いＰＮスクランブリングコードグループ情報を利用して現在基地局が使用する長いＰＮスクランブリングコードＩＤを共通パイロットチャンネルコード相関器を利用して獲得する段階である。つまり、１つのコードグループには８個のスクランブリングコードがマッピングされるので、３段階で移動局は８個のＰＮスクランブリングコード相関器出力を比較して現セルが使用する長いＰＮスクランブリングコードＩＤを検出する。
【０００７】
前記ＷＣＤＭＡ方式で同期チャンネルは基本的に１次同期チャンネルと２次同期チャンネルからなり、前記１次同期チャンネル及び２次同期チャンネル、そして共通パイロットチャンネル及び他のデータチャンネルは時間領域直接シーケンス帯域拡散に基づくＣＤＭＡ方式でマルチプレクシング（Ｍｕｌｔｉｐｌｅｘｉｎｇ）される。
【０００８】
現在ＷＣＤＭＡ方式の短所を補完するための３Ｇロング・ターム・エボリューション（ｌｏｎｇ ｔｅｒｍ ｅｖｏｌｕｔｉｏｎ：３Ｇ−ＬＴＥ）の一環としてＯＦＤＭに基づく無線伝送技術規格作業が進められている。前記ＷＣＤＭＡで使用される同期チャンネル及び共通パイロットチャンネル構造、そして移動局のセル探索方法はＤＳ−ＣＤＭＡに適した方法であり、ＯＦＤＭ順方向リンクには適用できない。
【０００９】
したがって、ＯＦＤＭを使用するセルラーシステムで順方向リンクの同期チャンネル及び共通パイロットチャンネル構造、そして移動局の初期セル探索方法及びハンドオーバーのための隣接セル探索方法が要求されている。
【発明の開示】
【発明が解決しようとする課題】
【００１０】
本発明が目的とする技術的課題は、ＯＦＤＭセルラーシステムで移動局の初期セル探索及びハンドオーバーのための隣接セル探索を容易にするために同期チャンネル構造及び順方向リンクフレームを提供することにある。
【００１１】
本発明の他の技術的課題は、ＯＦＤＭセルラーシステムで移動局の初期セル探索及びハンドオーバーのための隣接セル探索を容易にするために同期チャンネルコード割り当て方法を提供することにある。
【００１２】
本発明の他の技術的課題は、ＯＦＤＭセルラーシステムで初期セル探索及びハンドオーバーのための隣接セル探索を含むセル探索装置及び方法を提供することにある。
【００１３】
本発明の他の技術的課題は、上述したセル探索方法を支援するための順方向リンクフレームを伝送する装置及び方法を提供することにある。
【００１４】
本発明が解決しようとする他の技術的課題は、上述したセル探索方法が適用されるＯＦＤＭセルラーシステムを提供することにある。
【００１５】
本発明が解決しようとする他の技術的課題は、上述したセル探索方法に使用される順方向リンクフレームの構造を提供することにある。
【００１６】
本発明が解決しようとする他の技術的課題は、上述したセル探索方法を行うプログラムを収録したコンピュータで読み込むことができる記録媒体を提供することにある。
【課題を解決するための手段】
【００１７】
前記技術的課題を解決するために本発明で提示する順方向同期信号伝送方法は無線通信システムにおける順方向同期信号伝送方法において、複数個のシンクブロックで構成されるフレームを生成する段階と前記フレームを順方向リンクを通じて伝送する段階を含み、前記フレームはシンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍（hopping）コードワード識別子の組み合わせからセル識別子を特定することを特徴とする。
【００１８】
前記技術的課題を解決するために本発明で提示する順方向同期信号伝送方法は無線通信システムにおける順方向同期信号伝送方法において、複数個のシンクブロックで構成されるフレームを生成する段階と前記フレームを順方向リンクを通じて伝送する段階を含み、前記フレームはシンクブロックタイミング情報を提供する１次同期チャンネルシーケンス及びフレームタイミング（境界）情報を提供する複数個の２次同期チャンネルシーケンスを含み、前記複数個の２次同期チャンネルシーケンスによって特定される跳躍コードワード識別子はセル識別子と一対一マッピングされることを特徴とする。
【００１９】
前記技術的課題を解決するために本発明で提示する順方向同期信号を利用したセル識別子検出方法は無線通信システムで順方向同期信号を利用したセル識別子検出方法において、複数個のシンクブロックで構成されるフレームを受信する段階を含み、前記フレームに含まれた１次同期チャンネルシーケンスからシンクブロックタイミングを抽出し、前記フレームに含まれた複数個の２次同期チャンネルシーケンスからフレームタイミング（境界）情報及び前記複数個の２次同期チャンネルシーケンスによって特定される跳躍コードワード識別子を抽出して、前記１次同期チャンネルシーケンス及び前記跳躍コードワード識別子の組み合わせからセル識別子を検出することを特徴とする。
【００２０】
前記技術的課題を解決するために本発明で提示する順方向同期信号伝送装置は無線通信システムにおける順方向同期信号伝送装置において、シンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍コードワード識別子の組み合わせからセル識別子を特定し、複数個のシンクブロックで構成されるフレームを生成するフレーム生成部と前記フレームを順方向リンクを通じて伝送するフレーム伝送部を含むことを特徴とする。
【００２１】
前記技術的課題を解決するために本発明で提示する順方向同期信号伝送装置は無線通信システムにおける順方向同期信号伝送装置において、シンクブロックタイミング情報を提供する１次同期チャンネルシーケンス及びフレームタイミング（境界）情報を提供する複数個の２次同期チャンネルシーケンスを含み、前記複数個の２次同期チャンネルシーケンスによって特定される跳躍コードワード識別子はセル識別子と一対一マッピングし、複数個のシンクブロックで構成されるフレームを生成するフレーム生成部と前記フレームを順方向リンクを通じて伝送するフレーム伝送部を含むことを特徴とする。
【００２２】
前記技術的課題を解決するために本発明で提示する順方向リンクフレームは無線通信システムにおける順方向同期信号として使用される複数個のシンクブロックで構成される順方向リンクフレームにおいて、シンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍コードワード識別子の組み合わせによってセル識別子を特定することを特徴とする。
【００２３】
前記技術的課題を解決するために本発明で提示する順方向リンクフレームは無線通信システムにおける順方向同期信号として使用される複数個のシンクブロックで構成される順方向リンクフレームにおいて、シンクブロックタイミング情報を提供する１次同期チャンネルシーケンス及びフレームタイミング（境界）情報を提供する複数個の２次同期チャンネルシーケンスを含み、前記複数個の２次同期チャンネルシーケンスによって特定される跳躍コードワード識別子はセル識別子と一対一マッピングされることを特徴とする。
【発明の効果】
【００２４】
前述のように本発明はＯＦＤＭセルラーシステムにおいて移動局のセル探索時間を減らすことができ、低い複雑度で動作するセル探索方法を実現することができる。
【００２５】
また、本発明の同期信号伝送方法によって低い複雑度で同期獲得が可能である。
【００２６】
また、本発明の同期信号伝送方法によって隣接セル探索を効率的に行うことができるためにハンドオーバーが円滑な行われ、移動局のバッテリ消耗量を減すことができる。
【００２７】
また、本発明の同期信号伝送方法によって１つの同期チャンネルのみを有してＯＦＤＭシンボル同期、長いスクランブリングコードグループＩＤ、１０ｍｓｅｃフレーム境界、そして周波数オフセット推定まで全て可能になる長所がある。
【発明を実施するための最良の形態】
【００２８】
前記技術的課題を解決するために本発明で提示する順方向同期信号伝送方法は、無線通信システムにおける順方向同期信号伝送方法において、複数個のシンクブロックで構成されるフレームを生成する段階と、前記フレームを順方向リンクを通じて伝送する段階を含み、前記フレームはシンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍コードワード識別子の組み合わせからセル識別子を特定することを特徴とする。
【００２９】
また、前記跳躍コードワード識別子は無線通信システムで使用される全体セル識別子のうちの一部を指定し、前記１次同期チャンネルシーケンスは前記跳躍コードワード識別子によって指定された一部セル識別子の中で１つのセル識別子を特定することを特徴とする。
【００３０】
また、前記１次同期チャンネルシーケンス個数と前記跳躍コードワード識別子個数の掛けは無線通信システムで使用される全体セル識別子個数と同一であることを特徴とする。
【００３１】
また、前記１次同期チャンネルシーケンスは無線通信システムで使用される複数個の１次同期チャンネルシーケンスの中で選択されたことを特徴とする。
【００３２】
また、前記１次同期チャンネルシーケンスは前記フレーム内シンクブロックごとに同一位置に繰り返して配置されることを特徴とする。
【００３３】
また、前記１次同期チャンネルシーケンスと前記２次同期チャンネルシーケンスは前記フレーム内隣接したシンボル区間でＴＤＭ方式で配置されることを特徴とする。
【００３４】
また、前記１次同期チャンネルシーケンスと前記２次同期チャンネルシーケンスは前記フレーム内同一シンボル区間でＦＤＭ方式で配置されることを特徴とする。
【００３５】
前記技術的課題を解決するために本発明で提示する順方向同期信号伝送方法は無線通信システムにおける順方向同期信号伝送方法において、複数個のシンクブロックで構成されるフレームを生成する段階と、前記フレームを順方向リンクを通じて伝送する段階を含み、前記フレームはシンクブロックタイミング情報を提供する１次同期チャンネルシーケンス及びフレームタイミング（境界）情報を提供する複数個の２次同期チャンネルシーケンスを含み、前記複数個の２次同期チャンネルシーケンスによって特定される跳躍コードワード識別子はセル識別子と一対一マッピングされることを特徴とする。
【００３６】
また、前記１次同期チャンネルシーケンスは無線通信システムで使用される複数個の１次同期チャンネルシーケンスの中で選択され、前記無線通信システムで使用される全体識別子のうちの一部を指定することを特徴とする。
【００３７】
また、前記１次同期チャンネルシーケンスは前記フレーム内でシンクブロックごとに同一位置に繰り返して配置することを特徴とする。
【００３８】
また、前記１次同期チャンネルシーケンスと前記２次同期チャンネルシーケンスは前記フレーム内隣接したシンボル区間でＴＤＭ方式で配置することを特徴とする。
【００３９】
また、前記１次同期チャンネルシーケンスと前記２次同期チャンネルシーケンスは前記フレーム内同一シンボル区間でＦＤＭ方式で配置することを特徴とする。
【００４０】
前記技術的課題を解決するために本発明で提示する順方向同期信号を利用したセル識別子検出方法は無線通信システムで順方向同期信号を利用したセル識別子検出方法において、複数個のシンクブロックで構成されるフレームを受信する段階を含み、前記フレームに含まれた１次同期チャンネルシーケンスからシンクブロックタイミングを抽出し、前記フレームに含まれた複数個の２次同期チャンネルシーケンスからフレームタイミング（境界）情報及び前記複数個の２次同期チャンネルシーケンスによって特定される跳躍コードワード識別子を抽出して、前記１次同期チャンネルシーケンス及び前記跳躍コードワード識別子の組み合わせからセル識別子を検出することを特徴とする。
【００４１】
また、前記跳躍コードワード識別子を利用して無線通信システムで使用される全体セル識別子のうちの一部を特定し、前記１次同期チャンネルシーケンスを利用して前記跳躍コードワード識別子によって指定された一部セル識別子の中で１つのセル識別子を検出することを特徴とする。
【００４２】
また、無線通信システムで使用される全ての１次同期チャンネルシーケンス及び跳躍コードワード識別子を利用して前記１次同期チャンネルシーケンス個数と前記跳躍コードワード識別子個数の掛けと同一な個数のセル識別子が検出できることを特徴とする。
【００４３】
また、無線通信システムで使用される複数個の１次同期チャンネルシーケンスの中で選択された１次同期チャンネルシーケンスを利用してセル識別子を検出することを特徴とする。
【００４４】
前記技術的課題を解決するために本発明で提示する順方向同期信号伝送装置は無線通信システムにおける順方向同期信号伝送装置において、シンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍コードワード識別子の組み合わせからセル識別子を特定し、複数個のシンクブロックで構成されるフレームを生成するフレーム生成部と前記フレームを順方向リンクを通じて伝送するフレーム伝送部を含むことを特徴とする。
【００４５】
また、前記跳躍コードワード識別子は無線通信システムで使用される全体セル識別子のうちの一部を指定し、前記１次同期チャンネルシーケンスは前記跳躍コードワード識別子によって指定された一部セル識別子の中で１つのセル識別子を特定することを特徴とする。
【００４６】
また、前記１次同期チャンネルシーケンス個数と前記跳躍コードワード識別子個数の掛けは無線通信システムで使用される全体セル識別子個数と同一であることを特徴とする。
【００４７】
また、前記１次同期チャンネルシーケンスは無線通信システムで使用される複数個の１次同期チャンネルシーケンスの中で選択されたことを特徴とする。
【００４８】
また、前記１次同期チャンネルシーケンスは前記フレーム内シンクブロックごとに同一位置に繰り返して配置されることを特徴とする。
【００４９】
また、前記１次同期チャンネルシーケンスと前記２次同期チャンネルシーケンスは前記フレーム内隣接したシンボル区間でＴＤＭ方式で配置されることを特徴とする。
【００５０】
また、前記１次同期チャンネルシーケンスと前記２次同期チャンネルシーケンスは前記フレーム内同一シンボル区間でＦＤＭ方式で配置されることを特徴とする。
【００５１】
前記技術的課題を解決するために本発明で提示する順方向同期信号伝送装置は無線通信システムにおける順方向同期信号伝送装置において、シンクブロックタイミング情報を提供する１次同期チャンネルシーケンス及びフレームタイミング（境界）情報を提供する複数個の２次同期チャンネルシーケンスを含み、前記複数個の２次同期チャンネルシーケンスによって特定される跳躍コードワード識別子はセル識別子と一対一マッピングし、複数個のシンクブロックで構成されるフレームを生成するフレーム生成部と前記フレームを順方向リンクを通じて伝送するフレーム伝送部を含むことを特徴とする。
【００５２】
また、前記１次同期チャンネルシーケンスは無線通信システムで使用される複数個の１次同期チャンネルシーケンスの中で選択され、前記無線通信システムで使用される全体識別子のうちの一部を指定することを特徴とする。
【００５３】
また、前記１次同期チャンネルシーケンスは前記フレーム内シンクブロックごとに同一位置に繰り返して配置されることを特徴とする。
【００５４】
また、前記１次同期チャンネルシーケンスと前記２次同期チャンネルシーケンスは前記フレーム内隣接したシンボル区間でＴＤＭ方式で配置されることを特徴とする。
【００５５】
また、前記１次同期チャンネルシーケンスと前記２次同期チャンネルシーケンスは前記フレーム内同一シンボル区間でＦＤＭ方式で配置されることを特徴とする。
【００５６】
前記技術的課題を解決するために本発明で提示する順方向同期信号を利用したセル識別子検出装置は無線通信システムで順方向同期信号を利用したセル識別子検出装置において、複数個のシンクブロックで構成されるフレームを受信するフレーム受信部を含み、前記フレームに含まれた１次同期チャンネルシーケンスからシンクブロックタイミングを抽出し、前記フレームに含まれた複数個の２次同期チャンネルシーケンスからフレームタイミング（境界）情報及び前記複数個の２次同期チャンネルシーケンスによって特定される跳躍コードワード識別子を抽出して、前記１次同期チャンネルシーケンス及び前記跳躍コードワード識別子の組み合わせからセル識別子を検出することを特徴とする。
【００５７】
また、前記跳躍コードワード識別子を利用して無線通信システムで使用される全体セル識別子のうちの一部を特定し、前記１次同期チャンネルシーケンスを利用して前記跳躍コードワード識別子によって指定された一部セル識別子の中で１つのセル識別子を検出することを特徴とする。
【００５８】
また、無線通信システムで使用される全ての１次同期チャンネルシーケンス及び跳躍コードワード識別子を利用して前記１次同期チャンネルシーケンス個数と前記跳躍コードワード識別子個数の掛けと同一な個数のセル識別子が検出できることを特徴とする。
【００５９】
また、無線通信システムで使用される複数個の１次同期チャンネルシーケンスの中で選択された１次同期チャンネルシーケンスを利用してセル識別子を検出することを特徴とする。
【００６０】
前記技術的課題を解決するために本発明で提示する順方向リンクフレームは無線通信システムにおける順方向同期信号として使用される複数個のシンクブロックで構成される順方向リンクフレームにおいて、シンクブロックタイミング情報を提供する１次同期チャンネルシーケンス及びフレームタイミング（境界）情報を提供する複数個の２次同期チャンネルシーケンスを含み、前記１次同期チャンネルシーケンスと前記複数個の２次同期チャンネルシーケンスによって特定される跳躍コードワード識別子の組み合わせからセル識別子を特定することを特徴とする。
【００６１】
また、前記跳躍コードワード識別子は無線通信システムで使用される全体セル識別子のうちの一部を指定し、前記１次同期チャンネルシーケンスは前記跳躍コードワード識別子によって指定された一部セル識別子の中で１つのセル識別子を特定することを特徴とする。
【００６２】
また、前記１次同期チャンネルシーケンス個数と前記跳躍コードワード識別子個数の掛けは無線通信システムで使用される全体セル識別子個数と同一であることを特徴とする。
【００６３】
また、前記１次同期チャンネルシーケンスは無線通信システムで使用される複数個の１次同期チャンネルシーケンスの中で選択されたことを特徴とする。
【００６４】
また、前記１次同期チャンネルシーケンスは前記フレーム内でシンクブロック同一位置に繰り返して配置されることを特徴とする。
【００６５】
また、前記１次同期チャンネルシーケンスと前記２次同期チャンネルシーケンスは前記フレーム内隣接したシンボル区間でＴＤＭ方式で配置されることを特徴とする。
【００６６】
また、前記１次同期チャンネルシーケンスと前記２次同期チャンネルシーケンスは前記フレーム内同一シンボル区間でＦＤＭ方式で配置されることを特徴とする。
【００６７】
前記技術的課題を解決するために本発明で提示する順方向リンクフレームは無線通信システムにおける順方向同期信号として使用される複数個のシンクブロックで構成される順方向リンクフレームにおいて、シンクブロックタイミング情報を提供する１次同期チャンネルシーケンス及びフレームタイミング（境界）情報を提供する複数個の２次同期チャンネルシーケンスを含み、前記複数個の２次同期チャンネルシーケンスによって特定される跳躍コードワード識別子はセル識別子と一対一マッピングされることを特徴とする。
【００６８】
また、前記１次同期チャンネルシーケンスは無線通信システムで使用される複数個の１次同期チャンネルシーケンスの中で選択され、前記無線通信システムで使用される全体識別子のうちの一部を指定することを特徴とする。
【００６９】
また、前記１次同期チャンネルシーケンスは前記フレーム内シンクブロックごとに同一位置に繰り返して配置されることを特徴とする。
【００７０】
また、前記１次同期チャンネルシーケンスと前記２次同期チャンネルシーケンスは前記フレーム内隣接したシンボル区間でＴＤＭ方式で配置されることを特徴とする。
【００７１】
また、前記１次同期チャンネルシーケンスと前記２次同期チャンネルシーケンスは前記フレーム内同一シンボル区間でＦＤＭ方式で配置されることを特徴とする。
【００７２】
前記の課題を解決するための本発明による移動局セル探索装置は本発明のセルラーシステムで移動局がセル探索を容易にするための本発明の同期チャンネルコードシーケンス割り当て方法によって変わり得る。
【００７３】
本発明の方法において同期チャンネルは１次同期チャンネル（Ｐｒｉｍａｒｙ Ｓｙｎｃｈｒｏｎｉｚａｔｉｏｎ Ｃｈａｎｎｅｌ:Ｐ−ＳＣＨ）と２次同期チャンネル（Ｓｅｃｏｎｄａｒｙ Ｓｙｎｃｈｒｏｎｉｚａｔｉｏｎ Ｃｈａｎｎｅｌ:Ｓ−ＳＣＨ）に分けられるが、本発明の同期チャンネルコード割り当て方法は前記１次同期チャンネル及び２次同期チャンネルのコードシーケンスを前記セル識別子に応じてどのように割り当てるかに対する方法であり、一種のセルラコードプラニング（ｐｌａｎｎｉｎｇ）方法であると言える。
【００７４】
以下、本明細書では同期チャンネルコード割り当て方法またはセルラコードプラニング方法を簡略に「コード割り当て方法」と言う。
【００７５】
本発明のコード割り当て方法ではシステムで使用されるセル識別子を１つ以上のセルグループに分け，それぞれのセルグループを再び１つ以上のセルサブグループに分ける２段階グルーピング概念を導入する。
【００７６】
図１及び図２は２段階セルグルーピング概念を示す本発明のコード割り当て方法の例を示す。
【００７７】
つまり、図１及び図２の例ではシステムに全セル識別子が５１２個存在すると仮定する時、それぞれのセル識別子をまず８個のセルグループ１０に分けた後，それぞれのセルグループ１０内の６４個のセル識別子４０を再び１６個のセルサブグループ３０に分ける。
この場合、サブセルグループ３０当たりセル識別子の個数は４個となる。
【００７８】
本発明のセルラーシステムの各セルでのコード割り当て方法ではそれぞれのセルに割り当てられたセル識別子４０に対応する前記セルグループ番号１０に該当する情報を１次同期チャンネルに積載して送り、前記セルサブグループ番号３０に該当する情報を２次同期チャンネルに載せて送る。
【００７９】
本発明のセルラーシステムの各セルにおけるコード割り当て方法１では１次同期チャンネルシーケンスはそれぞれのセルに割り当てられたセル識別子４０に対応する前記セルグループ番号１０に一対一対応するシーケンスが使用され、２次同期チャンネル跳躍コードワード２０は前記セルサブグループ３０と一対一対応する跳躍コードワードが使用される。
【００８０】
つまり、システムで使用される１次同期チャンネルのシーケンス個数は前記セルグループ個数と同一であり、また、システムで使用される２次同期チャンネルの跳躍コードワードの個数は前記セルサブグループ３０の個数と同一である。
【００８１】
図１の例で跳躍コードワードの個数はセルサブグループ３０の個数と同一な１２８個であることが分かる。１次同期チャンネルシーケンス及び２次同期チャンネルの跳躍コードについては後から詳しく説明する。
【００８２】
図２の例で示す本発明のセルラーシステムの各セルにおけるコード割り当て方法２では、１次同期チャンネルシーケンスはコード割り当て方法１と同様にそれぞれのセルに割り当てられたセル識別子４０に対応する前記セルグループ番号１０に一対一対応するシーケンスが使用されるが、２次同期チャンネル跳躍コードワード２０は図２のようにそれぞれのセルグループ１０内では互いに異なる跳躍コードワードが使用されるが、セルグループ１０間には同一な跳躍コードワードが再使用される。
【００８３】
この場合、システムで使用される１次同期チャンネルのシーケンス個数は前記セルグループ個数と同一であり、また、システムで使用される２次同期チャンネルの跳躍コードワード個数はセルサブグループ３０個数をセルグループ１０の個数で割った値と同一である。
【００８４】
図３は本発明のコード割り当て方法１でセルサブグループ当たりセル識別子が１つである場合の例で、この場合も本発明の範疇から外れない。この場合、２次同期チャンネルの跳躍コードワード識別子とセル識別子は一対一対応する。本明細書では便宜上図３のことを「コード割り当て方法３」と言う。
【００８５】
前記コード割り当て方法３に関して本発明の一実施例を考慮してみると、セル識別子個数が２次同期チャンネルの跳躍コードワード個数と同一になり、１次同期チャンネルシーケンスはセル識別子の一部、つまり、２次同期チャンネル跳躍コードワードの一部を指定する。
【００８６】
例えば、セル識別子の全個数が１２８個である場合、それぞれのセル識別子と２次同期チャンネル跳躍コードワードは一対一マッピングされ、図３のようにセルグループ（つまり、１次同期チャンネルシーケンス）が８個である場合、それぞれの１次同期チャンネルシーケンスは１６個のセル識別子、つまり、１６個の２次同期チャンネル跳躍コードワードを指定する。
【００８７】
この場合、セル探索１段階で複数個の１次同期チャンネルシーケンスに対する時間領域相関を行ってシンクブロック同期と共に１次同期チャンネルシーケンス情報を獲得し、セル探索２段階では前記１段階で獲得した１次同期チャンネルシーケンスによって指定される１６個の２次同期チャンネル跳躍コードワードに対して相関を行うことでセル識別子を獲得することができる。
【００８８】
図３の例の場合、セル探索１段階で獲得された１次同期チャンネルシーケンス番号が４である場合（つまり、セルグループ番号が４である場合）、セル探索２段階では全１２８個の２次同期チャンネル跳躍コードワードのうちの１６個（つまり、１次同期チャンネルシーケンス番号４番が指定する６４、６５、６６、…、７７、７８、７９番跳躍コードワード）に対してのみ相関を行えばよい。この時、セル探索２段階でフレームタイミング（境界）情報も獲得する。
【００８９】
図４は本発明のコード割り当て方法２でセルサブグループ当たりセル識別子が１個である場合の例で、この場合も本発明の範疇から外れない。本明細書では便宜上図４のことを「コード割り当て方法４」と言う。
【００９０】
前記コード割り当て方法４に関して本発明の一実施例を考慮してみると、セル識別子個数が１次同期チャンネルシーケンス（セルグループ）の個数と２次同期チャンネルの跳躍コードワード個数の掛けになるように割り当てられることができる。
【００９１】
例えば、セル識別子の全個数が１２８個である場合、それぞれのセル識別子を８個の１次同期チャンネルシーケンスと１６個の２次同期チャンネル跳躍コードワード（跳躍コードワード識別子）の組み合わせで示すことができる（つまり、１２８＝８×１６）。
【００９２】
この場合、全てのセル識別子は１次同期チャンネルシーケンスによって８個のグループに分類され、各グループは１６個のセル識別子で構成されるが、各グループ（セルグループ）は互いに異なる１次同期チャンネルシーケンスに特定され、各グループ内のそれぞれのセル識別子は互いに異なる２次同期チャンネル跳躍コードワード（跳躍コードワード識別子）によって一対一マッピングされるように割り当てられることができる。
【００９３】
この場合、各グループ内の１６個のセル識別子別には互いに異なる２次同期チャンネル跳躍コード識別子を使用し、８個のグループ別としては前記２次同期チャンネル跳躍コード識別子を再使用することができる。
【００９４】
また、図４の例の場合、跳躍コードワード（跳躍コードワード識別子）によって１２８個の全セル識別子の中で８個が指定され、１次同期チャンネルシーケンスによって８個のうちの１個のセル識別子が特定されると見ることもできる。これは、図２の場合のようにセルグループ１０間に同一な跳躍コードワードが再使用されるためである。
【００９５】
この場合、セル探索１段階で複数個の１次同期チャンネルシーケンスに対する時間領域相関を行って、シンクブロック同期と共に１次同期チャンネルシーケンス番号を獲得し、その後、２段階でフレーム境界及び２次同期チャンネル跳躍コードワード識別子（番号）を獲得して前記１段階で獲得した１次同期チャンネルシーケンス番号と２次同期チャンネル跳躍コードワード識別子（番号）にマッピングされるセル識別子を特定することができる。結局、獲得した１次同期チャンネルシーケンス番号と２次同期チャンネル跳躍コードワード識別子（番号）の組み合わせでセル識別子情報を獲得することができる。
【００９６】
図５Ａは本発明のコード割り当て方法１でセルグループが１個である場合の例で、この場合も本発明の範疇から外れない。この場合、システムで使用される１次同期チャンネルシーケンスの個数は１個である。本明細書では便宜上図５Ａの場合を「コード割り当て方法５」と言う。
【００９７】
図５Ｂは本発明のコード割り当て方法１でセルグループが１個で、また、サブセルグループ内セル識別子の個数が１個である場合の例で、この場合も本発明の範疇から外れない。この場合にもシステムで使用される１次同期チャンネルシーケンスの個数は１個であり、２次同期チャンネル跳躍コードワードの個数はセル識別子の個数と一対一対応する。
【００９８】
本明細書では便宜上図５Ｂのことを「コード割り当て方法６」と言う。
【００９９】
一方、コード割り当て方法５及びコード割り当て方法６の場合にはセルグループが１個であるので、１次同期チャンネルシーケンスがセルグループに対する情報を必ず含む必要はなくなる。また、この場合、１次同期チャンネルシーケンス個数がセルグループの個数と一致しなくてもかまわない。
【０１００】
図６は本発明の他のコード割り当て方法として２次同期チャンネルを使用しない方法である。この場合、セル識別子は１次同期チャンネルのセルグループ情報によってのみグルーピングされる。本明細書では便宜上図６の場合を「コード割り当て方法７」と言う。
【０１０１】
コード割り当て方法７の場合には、後述するが移動局のセル探索器は１次同期チャンネルを利用してシンクブロック（ｓｙｎｃ ｂｌｏｃｋ）の同期を獲得した後、直ちに順方向リンクの共通パイロット信号（あるいはレフェランスシグナル：ｒｅｆｅｒｅｎｃ ｅ ｓｉｇｎａｌ）を利用してセル識別子及びフレームタイミング（境界）情報を獲得する。
【０１０２】
以上、本発明で提示するセルラーシステムの各セルは前記７種類のコード割り当て方法のうちの１つを使用すし、全てのセルが必ず同一なコード割り当て方法を使用しなければならない。つまり、任意の２つのセルが互いに異なるコード割り当て方法を使用してはならない。
【０１０３】
図７は本発明のコード割り当て方法１に対してセル識別子を各セルに割り当てる方法の一例を示す。
【０１０４】
但し、以下で説明する内容はコード割り当て方法２乃至コード割り当て方法４でも同一に適用することができる。
【０１０５】
図７で任意の隣接した２つのセル間には互いに異なるセルグループに属するセル識別子が割り当てられることが分かる。もし、直接隣接した２つのセル間に同一なセルグループ１０に属したセル識別子を割り当てする場合、２つの基地局で送信される１次同期チャンネルシーケンスが同一になって、この場合、システムが基地局同期モード（つまり、基地局フレームタイミングが全ての基地国間に同一なセルラーシステム）で移動局のセル探索１段階でタイミング不確実性が生じることがある。
【０１０６】
つまり、移動局が１次同期チャンネルシーケンスを利用する１段階セル探索結果として出る多重経路情報が２つの隣接した基地局から受信された同一なシーケンスを有する１次同期チャンネルシーケンスの合計であるためである。したがって、複数個のセルグループ１０を定義する本発明のコード割り当て方法１あるいはコード割り当て方法２の場合、図７のように直ちに隣接したセル間には互いに異なるセルグループに属したセル識別子を割り当てることが有利である。
【０１０７】
隣接したセル間に互いに異なる１次同期チャンネルシーケンスを割り当てる他の理由は、セル探索２段階で２次同期チャンネルシーケンスのコヒーレント復調を行う時、１次同期チャンネルシーケンスを利用したチャンネル推定値を利用するが、この場合、もし隣接したセル間１次同期チャンネルシーケンスが同一である場合、２段階の２次同期チャンネルシーケンス検出確率が非常に落ちることがある。
【０１０８】
一方、本発明のコード割り当て方法５及びコード割り当て方法６の場合、１次同期チャンネルシーケンスの個数がセルグループの個数（１個）と一致する必要がないために複数個の１次同期チャンネルシーケンスを使用し、隣接セル間に相異なる１次同期チャンネルシーケンスを配置することで前記と同一な効果を得ることができる。
【０１０９】
一方、１次同期チャンネルシーケンスの個数（またはセルグループ個数）が８より小さい場合、一定の規則下に分散させて１次同期チャンネルシーケンス（またはセルグループ）を各セルに割り当てることもできる。
【０１１０】
セルグループが１個であるために１次同期チャンネルシーケンス個数が１個の場合、セル探索１段階でタイミングの不確実性が発生することがある。したがって、このような問題が生じる場合、図７のように複数個の１次同期チャンネルシーケンスを各セルに対応させることができる。
【０１１１】
本発明はＯＦＤＭセルラーシステムで同期獲得、フレームタイミング（境界）検出及びセル識別子検出を含むセル探索をする方法と関連がある。
【０１１２】
「同期獲得」は同期チャンネルシンボルタイミング検出、シンクブロックタイミング検出、シンクブロック境界検出などを包括する用語として本明細書で使用される。
【０１１３】
「同期情報」は同期チャンネルシンボルのタイミング、シンクブロックタイミング及びシンクブロック境界に対する情報を包括する用語として本明細書で使用される。
「フレームタイミング（境界）検出」はフレーム境界のタイミングを検出することを称して本明細書で使用され、「フレームタイミング（境界）情報」はフレーム境界のタイミングに対する情報を包括する用語として本明細書で使用される。
【０１１４】
「セルグループ検出」はセルグループ識別子検出及びセルグループ検出を包括する用語として本明細書で使用され、「セルグループ情報」はセルグループ識別子及びセルグループを包括する用語として本明細書で使用される。
【０１１５】
「セル識別子検出」も同様にセル検出あるいはセル識別子検出を包括する用語として本明細書で使用される。
【０１１６】
本発明で「同期チャンネルシーケンス」は周波数領域で同期チャンネルシンボルが占める副搬送波にマッピングされる同期チャンネル「チップ」の集合を意味し、１次同期チャンネルシーケンスの場合、毎１次同期チャンネルシンボル位置で同一なシーケンスが使用され、２次同期チャンネルの場合にはフレーム内毎２次同期チャンネルシンボル位置で互いに異なるシーケンスが使用される。フレーム内それぞれの２次同期チャンネルシンボル位置で使用される２次同期チャンネルシーケンス番号はセルに割り当てられた前記跳躍コードワードの各シンボル位置に対応するエレメントインデックスと対応する。
【０１１７】
本発明で跳躍コードワードは２次同期チャンネルシーケンスのシーケンスホッピングのために使用されるＭ−ａｒｙホッピングシーケンスで、本発明の例で跳躍コードワードの長さは５であり、１０ｍｓｅｃフレーム当たり同期チャンネルシンボルの個数と同一で、それぞれのエレメントが有し得る値は４０種類にあるので（つまり、跳躍コードワードのアルファベット大きさＭ＝４０）、前記跳躍コードワードのそれぞれのエレメントによって与えられる２次同期チャンネルシーケンスの個数は跳躍コードワードの各エレメントが有し得る個数（４０個）と同一である。基地局は毎フレームごとに同一な２次同期チャンネルシーケンス跳躍パターン、つまり、跳躍コードワードを使用する。
【０１１８】
システムで使用される跳躍コードワードの集合を跳躍コードと言い、システムで使用される跳躍コードワードに番号を付けて情報を特定できるように示すことを跳躍コードワード識別子と言う。
【０１１９】
図１、図３、図５の例で見ると、システムで使用される跳躍コードワードの個数は１２８個であり、フレーム内同期チャンネルシンボルの個数が５個である場合、各グループに対する２次同期チャンネルシーケンス跳躍パターン、つまり、跳躍コードワードに番号を付けて跳躍コードワード識別子として０〜１２７までの整数で示している。
【０１２０】
図２あるいは図４の場合のように跳躍コードワードの個数が１６個である場合には０〜１５までの整数に表現された跳躍コードワード識別子を使用している。
【０１２１】
本明細書では、便宜上離散フーリエ変換（Ｄｉｓｃｒｅｔｅ Ｆｏｕｒｉｅｒ Ｔｒａｎｓｆｏｒｍ）及び高速フーリエ変換（Ｆａｓｔ Ｆｏｕｒｉｅｒ Ｔｒａｎｓｆｏｒｍ）を包括する用語としてフーリエ変換と言う用語を使用する。
【０１２２】
図８は１次同期チャンネルと２次同期チャンネルがＦＤＭ形態で構成された本発明の一実施例による順方向リンクフレームの構造を示す。
【０１２３】
図８を参照すると、順方向リンクフレームそれぞれは１０ｍｓｅｃの持続時間（ｄｕｒａｔｉｏｎ）を有し、２０個のサブフレーム１１０からなる。図８で横軸は時間軸であり、縦軸は周波数（ＯＦＤＭ副搬送波、ｓｕｂｃａｒｒｉｅｒ）軸である。
【０１２４】
各サブフレームは長さが０．５ｍｓｅｃであり、７個あるいは６個のＯＦＤＭシンボル区間１２０を含む。サブフレーム当りシンボルの個数が６個である場合は、ＭＢＭＳのようなサービスを提供するためのサブフレーム構造で、この場合、サイクリック接頭語の長さがサブフレーム当りシンボルの個数が７個である場合より大きくなる。各サブフレームは１個の同期チャンネルシンボル１００を含むか含まない。
【０１２５】
図８の例では４個のサブフレームごとに１個の同期チャンネルＯＦＤＭシンボル１００区間が存在して１つのフレーム（１０ｍｓｅｃ）内に全５個の同期チャンネルシンボル区間１００が存在する。この場合、同期チャンネルシンボルの反復周期１４０はサブフレーム４個を合わせた長さと同一になって、１つのフレーム内の全同期チャンネルシンボルの反復周期の個数は５となる。便宜上同期チャンネルシンボルの反復周期をシンク（Ｓｙｎｃ）ブロックと称する。
【０１２６】
つまり、図８は１つのフレーム（１０ｍｓｅｃ）内シンクブロック１４０の個数（Ｎｂ）が５であることを例示する。シンクブロック内で同期チャンネルシンボルの位置はどこになっても構わないが、毎シンクブロック内同期チャンネルシンボルの位置は同一でなければならない。
【０１２７】
また、前記で言及したようにサブフレーム当たりシンボルの個数が６個あるいは７個になり得るために、この場合、サブフレーム別に互いに異なり得るサイクリック接頭語長さに関係なくするために同期チャンネルシンボルの位置をサブフレームの最終に位置させるのが好ましい。これについての詳しい内容は後述する。
【０１２８】
図８で同期チャンネルシンボルの部分１００を除いた残りＯＦＤＭシンボルについてはそれぞれのセルを区分するためにセル固有のスクランブリングコードが周波数ドメインで掛けられるが、スクランブリングコードの番号は前記セル識別子と一対一対応する。
【０１２９】
図９は１次同期チャンネルと２次同期チャンネルをＦＤＭで区分する本発明の一実施例による同期チャンネルシンボルを含むサブフレーム構造を示す。
【０１３０】
図９に開示されたサブフレームによると、第１ＯＦＤＭシンボル区間１３０−Ａ及び第５ＯＦＤＭシンボル区間（１３０−Ｂ）にはパイロット副搬送波２１０とデータ副搬送波２２０がＦＤＭで構成され、最後のシンボル区間１００は同期チャンネル副搬送波（２３０、２４０）と同期チャンネルガードバンド（２０１−Ａ、２０１−Ｂ）、そしてデータ副搬送波２２０がＦＤＭで構成されている。
【０１３１】
便宜上本明細書ではパイロット副搬送波２１０が含まれた最初のシンボル区間１３０−Ａ及び第５シンボル区間１３０−Ｂをパイロットシンボル区間と言い、同期チャンネル副搬送波（２３０、２４０）が含まれた最後シンボル区間１００を同期チャンネルシンボル区間と言う。
【０１３２】
パイロットシンボル区間（１３０−Ａ、１３０−Ｂ）及び同期チャンネルシンボル区間１００を除いた残りシンボル区間ではデータ副搬送波２２０が伝送される。同期チャンネルシンボル区間を含まないサブフレームである場合、最後のサブフレームにはデータ副搬送波２２０のみが伝送される。
【０１３３】
図９で分かるように、同期チャンネル占有帯域２００は同期チャンネル副搬送波（２３０、２４０）と同期チャンネルガードバンド（２０１−Ａ、２０２−Ｂ）で構成され、全体システム帯域幅３１０のうちの一部のみを使用する。これについては後述する。
【０１３４】
図９を参照すると、サブフレームいくつかのＯＦＤＭシンボル区間の中で１個のＯＦＤＭシンボル区間１００を使用する同期チャンネルは同期チャンネル占有帯域２００の中のガードバンド（２０１−Ａ、２０１−Ｂ）を除外一部分を１次同期チャンネルと２次同期チャンネルのＦＤＭ形態に区分して使用する。
【０１３５】
図９は本発明のＦＤＭ方式の実現の一例で、同期チャンネルに割り当てられた全部搬送波がＤＣ副搬送波を除いて７５個である時、１次同期チャンネルに３７個の副搬送波を割り当て、２次同期チャンネルに３８個の副搬送波を割り当てる場合の例である。
【０１３６】
図９でａ(g)＝[ａ(g)0、ａ(g)1、ａ(g)2、…、ａ(g)36]は前記本発明のコード割り当て方法１からコード割り当て方法６まで定義する時に説明したセルグループ１０番号ｇに相当する１次同期チャンネルシーケンスを示す。
【０１３７】
１次同期チャンネルシーケンスのエレメント、つまり、ａ(k)0、ａ(k)1、ａ(k)2、…、ａ(k)36はそれぞれ複素値あるいは実数値を有し、図９に例示されたように１次同期チャンネル副搬送波２３０に割り当てられて伝送される。
【０１３８】
このような１次同期チャンネルシーケンスは任意のシーケンスを使用することができるが、時間領域信号に変更した時、自己相関及び相互相関特性が良くなければならない。前記１次同期チャンネルシーケンスの時間領域信号成分も複素値または実数値を有することができる。前記１次同期チャンネルシーケンスはセルグループ別に異なるシーケンスが割り当てら、順方向リンクに伝送される全てのフレームの全てのシンクブロック内の同期チャンネルシンボル位置１００で同一なシーケンスが使用される。
【０１３９】
移動局受信機はこのような１次同期チャンネルの特徴を利用してセル探索１段階でシンクブロック１４０同期を獲得するために累積（アキュムレーション）技術を導入することができる。これについては後述する。
【０１４０】
一方、図９でＣ(k)＝[ｃ(k)0、ｃ(k)1、ｃ(k)2、…、ｃ(k)37]は当該同期チャンネルシンボル位置に対応する跳躍コードワードのエレメントインデックスが「ｋ」に対応される２次同期チャンネルシーケンスを示す。
【０１４１】
２次同期チャンネルシーケンスのエレメント、つまり、ｃ(k)0、ｃ(k)1、ｃ(k)2、…、ｃ(k)37はそれぞれ複素値または実数値を有することができ、図９に例示されたように２次同期チャンネル副搬送波２４０に割り当てられて伝送される。
【０１４２】
このような２次同期チャンネルシーケンスは任意のシーケンスを使用することができ、ここでは一例として下記の数式で定義されるＧＣＬ（Ｇｅｎｅｒａｌｉｚｅｄ Ｃｈｉｒｐ Ｌｉｋｅ）シーケンスを使用することができる。
【０１４３】
【数１】
2009545226.tif 000003
【０１４４】
数式１でｋは跳躍コードワードの任意のエレメントのインデックスによって与えられ、２次同期チャンネルシーケンス番号を意味する。ｃ(k)nはシーケンス番号がｋである２次同期チャンネルシーケンスのｎ番目エレメントを示す。
【０１４５】
また、ＮはＧＣＬシーケンスの長さである。特に、ＧＣＬシーケンスでそれぞれのコード長さＮは素数（ｐｒｉｍｅ ｎｕｍｂｅｒ）であり、全Ｎ−１個のシーケンス個数が存在する。
【０１４６】
つまり、ＧＣＬシーケンスを使用する場合、システムで使用されるＧＣＬシーケンス集合はＮ−１個のＧＣＬシーケンスからなる。そして、前記ＧＣＬシーケンスの数は跳躍コードのコードアルファベット大きさと同一になる。跳躍コードのアルファベット大きさについては後述する。
【０１４７】
前記数式１で定義されるＧＣＬシーケンスは単に２次同期チャンネルシーケンスとして使用できるシーケンスの一例であり、ＧＣＬシーケンス以外の他のシーケンス、例えばゴールドシーケンスあるいは最長長さシーケンスあるいはこれらシーケンスの組み合わせからなるシーケンスなども本発明の範疇から外れない。
【０１４８】
一方、同期チャンネル占有帯域内の副搬送波の個数ＤＣ副搬送波を除いて全７５個の中で３８個を図８のＦＤＭ方式の２次同期チャンネルとして用いる場合、全３８個の副搬送波を割り当てることができる。
【０１４９】
この場合、３８が素数ではないために３８より同一であるか大きい数のうちの１つを前記ＧＣＬシーケンスの長さであるＮとして使用すべきである。本例ではＮ値として４１を使用した。
【０１５０】
本発明の図９の例では２次同期チャンネル副搬送波の個数が３８でＧＣＬシーケンス個数の４１より小さいために最後の４１個のうちが最後３個のチップは伝送されない。
【０１５１】
フレーム内それぞれの２次同期チャンネルシンボルに対応する２次同期チャンネルシーケンスは前記跳躍コードワードエレメントインデックスによって特定される。つまり、フレーム内２次同期チャンネルシーケンスは一種のシーケンス跳躍形態で構成される。
【０１５２】
つまり、本発明の一例で基地局はフレーム内それぞれの同期チャンネルシンボル位置１００に対してそれぞれ当該跳躍コードワードエレメントをマッピングして、そのエレメントインデックスが指定するＧＣＬシーケンスを当該同期チャンネルシンボル位置１００の２次同期チャンネルシーケンスに割り当てて伝送し、移動局はターゲット基地局で伝送した同期チャンネルシンボルに含まれた跳躍コードワード識別子（番号）を検出する。
【０１５３】
ここで、ターゲット基地局の例としては移動局が初期に探索する基地局、ハンドオーバーのために探索する隣接基地局がある。
【０１５４】
表１は図１、図３、図５の例のようにシステムで使用される跳躍コードワードの個数が１２８個であり、フレーム内同期チャンネルシンボルの個数が５である場合、各コードグループに対する２次同期チャンネルシーケンス跳躍パターン、つまり、跳躍コードワードの集合の一例を示すテーブルである。
【０１５５】
つまり、１２８個の跳躍パターンは長さが５である跳躍コードワードで表現され、跳躍コードワードの長さは１０ｍｓｅｃフレーム当たり同期チャンネルシンボルの個数と同一である。全跳躍コードワードの集合を跳躍コードと定義する。
【０１５６】
図２あるいは図４の場合のように跳躍コードワードの個数が１６個である場合には表１の１２８個のうちの１６個のみ使用すればよい。一方、基地局は毎フレームごとに同一な同期チャンネル跳躍パターン（跳躍コードワード）を使用する。
【０１５７】
図１のコード割り当て方法１及び図５Ａのコード割り当て方法５の場合、セルサブグループ３０別に互いに異なる跳躍コードワードが割り当てられ、図３のコード割り当て方法３及び図５Ｂのコード割り当て方法６の場合はセル識別子別に互いに異なる跳躍コードワードが割り当てられる。
【０１５８】
これに反し、図２のコード割り当て方法２及び図４のコード割り当て方法４では互いに異なるセルサブグループあるいは互いに異なるセル識別子間にも同一なコードワードが割り当てられる。
【０１５９】
一方、図６の本発明のコード割り当て方法７においては２次同期チャンネルを伝送しないために、前記表１で定義される跳躍コードを使用する必要がない。
【０１６０】
本発明の跳躍コードの一例である表１を参照すると、各跳躍コードワードは５個の跳躍コードワードエレメントで構成される。もし、フレーム当たり同期チャンネルシンボル区間１００が４個である場合、跳躍コードワードの長さ、つまり、エレメントの個数は４となる。
【０１６１】
表１は本発明の跳躍コードの一例に過ぎず、Ｒｅｅｄ−Ｓｏｌｏｍｏｎ（ＲＳ）コードのようなコードも跳躍コードとして使用することができる。
【０１６２】
【表１】
2009545226.tif 000004
【０１６３】
本発明の跳躍コードの一例である前記テーブルでは跳躍コードのアルファベット大きさ（ａｌｐｈａｂｅｔ ｓｉｚｅ）は４０である。つまり、それぞれのシンクブロックで２次同期チャンネルシーケンスにマッピングされる跳躍コードエレメントｋは０から３９までの番号のうちの１つとなる。
【０１６４】
例えば、システムが本発明のコード割り当て方法１を使用する場合を仮定しよう。
【０１６５】
現基地局のセル識別子が０である場合、図１を参照すると０番セルサブグループに属し、セルサブグループ０番に割り当てられた跳躍コードワードは前記表１を参照すると{４、５、６、７、８}になる。
【０１６６】
結局、現在基地局がフレーム当たり伝送される５個の２次同期チャンネルシンボルはそれぞれ４、５、６、７、８の跳躍コードワードエレメントを有し、それぞれの同期チャンネルシンボルが使用する副搬送波はそれぞれの跳躍コードワードエレメントインデックスｋによって数式１で定義される値が割り当てられる。特に、図１は現基地局のコードグループ識別子が０である場合の例を示す。
【０１６７】
前記１２８個の跳躍コードワードは互いに異なるパターンを有し、全てのサイクリックシフト（ｃｙｃｌｉｃ ｓｈｉｆｔ）に対しても唯一であることを特徴とする。サイクリックシフトされたパターンの例を挙げると、コードグループ０に相当する跳躍コードワードは{４、５、６、７、８}であり、この跳躍コードワードのサイクリックシフトされたパターンは{５、６、７、８、４}、{６、７、８、４、５}、{７、８、４、５、６}、{８、４、５、６、７}となる。
【０１６８】
表２は跳躍コードワード{４、５、６、７、８}のサイクリックシフトされたパターン及びサイクリックシフトインデックスを示す。
【０１６９】
【表２】
2009545226.tif 000005
【０１７０】
１２８個の跳躍コードワード及び前記跳躍コードワードのサイクリックシフトされたパターンで得られる跳躍コードワードの個数は６４０（＝５×１２８）であり、それぞれの跳躍コードワードは唯一であることを特徴とする
つまり、表１に例示されたように２次同期チャンネルのシーケンス跳躍のためにシステムで使用される跳躍コードワード及び前記跳躍コードワードのサイクリックシフトされたパターンで得られる全てのコードワード間には同一なシーケンスがない。
【０１７１】
このようなサイクリックシフトされた全ての跳躍コードワードの唯一性は移動局にセル探索２段階でコードグループだけでなく１０ｍｓｅｃフレーム境界に対する情報も同時に獲得させる。
【０１７２】
本発明の跳躍コードは衝突回数に制限をおく跳躍コードシーケンスを使用することができる。ここで、衝突とは任意の２つのコードワード間のエレメントが同一である場合を言う。
【０１７３】
例えば、前記表１で識別子が０番である跳躍コードワード、つまり、４、５、６、７、８と識別子が７番である跳躍コードワード、つまり、０、２、４、６、３９は同じ位置にあるエレメントが互いに異なる。つまり、衝突が「０」である。
【０１７４】
これに反し、識別子が７番である跳躍コードワードを２だけシフトさせた場合に生じる２サイクリックシフトされたシーケンス、つまり、{４、６、３９、０、２}は、前記識別子が０である跳躍コードワード{４、５、６、７、８}と最初のエレメント、つまり、４が衝突するので、この場合の衝突個数は「１」個となる。
【０１７５】
コードワード間衝突個数はハミング距離（ｈａｍｍｉｎｇ ｄｉｓｔａｎｃｅ）と関係がある。
【０１７６】
例えば、２つのコードワード間衝突が「０」と言うのは２つのコードワード間ハミング距離がシーケンス長さ（表１の場合には５）と同一であることを意味する。結局、任意の２つのコードワード間の衝突個数はコードワード長さからハミング距離を引いた数と同一である。表１の例では全てのサイクリックシフトされたコードワード間（つまり、６４０個のコードワード）の最小ハミング距離が４である。
【０１７７】
言い換えると、任意のサイクリックシフトされたコードワード間最大衝突個数は１より小さいか同一である。結局、下記の数式２の関係が成立する。
【０１７８】
【数２】
2009545226.tif 000006
【０１７９】
本発明の方法では前記跳躍コードにおいてサイクリックシフトされた全てのコードワードを含んで２つのコードワード間衝突回数に制限をおくことができる。言い換えると、最小ハミング距離に制限をおくことができる。
【０１８０】
例えば、移動局端末器がＧＳＭ（Ｇｌｏｂａｌ Ｓｙｓｔｅｍ ｆｏｒ Ｍｏｂｉｌｅ Ｃｏｍｍｕｎｉｃａｔｉｏｎ）とＯＦＤＭシステムを同時に支援するデュアルモード端末器に適用する場合がある。
【０１８１】
この場合、ＧＳＭで通信する時にＯＦＤＭシステムでハンドオーバーする状況で前記跳躍コードの衝突特性（つまり、６４０個のサイクリックシフトされたコードワード間衝突数が１以下である特性、つまり、最小ハミング距離が４の特性）は前記デュアルモード端末器が２つの同期チャンネルシンボルのみ利用しても１０ｍｓｅｃフレーム同期及び跳躍コード識別子検出を可能にする。
【０１８２】
つまり、ＧＳＭ順方向リンクを復調している移動局はＧＳＭ順方向リンクをしばらく止めて、他の周波数で他のシステムの順方向リンク信号を受信してセル探索できる時間が約４．６ｍｓｅｃである。
【０１８３】
この間にＧＳＭ端末器が順方向リンク信号を受信した時、４．６ｍｓｅｃ以内に入ってくる可能な同期チャンネルシンボル数は図８のフレーム構造で２個あるいは３個となる。つまり、最悪の場合には２個となる。
【０１８４】
結局、前記デュアルモード端末器は２個の同期チャンネルシンボルのみを受信して１０ｍｓｅｃフレーム同期及び前記跳躍コード識別子を検出しなければならないが、もし前記跳躍コードワードの全てのサイクリックシフトされたコードワード間衝突個数が２つ以上になると１０ｍｓｅｃフレーム同期及びコードグループが検出できなくなる。
【０１８５】
結局、表１のように跳躍コードの長さが５である場合（つまり、フレーム当たり２次同期チャンネルシンボルの個数が５である場合）、前記跳躍コードワードの全てのサイクリックシフトされたコードワード間最大衝突個数が１以下（つまり、最小ハミング距離が４）である場合にのみＧＳＭのＯＦＤＭシステムでセル探索ができるようになって、ハードハンドオーバーが可能になる。
【０１８６】
もし、１０ｍｓｅｃフレーム当たり同期チャンネルのシンボルの個数が４である場合（つまり、跳躍コードの長さが４である場合）には図８の構造で４．６ｍｓｅｃ以内に見られるシンボル数は最悪の場合に１個しかない。
【０１８７】
この場合には、サイクリックシフトされたコードワード間最大衝突個数が０でなければならない（つまり、最小ハミング距離は跳躍コード長さと同一な４でなければならない）。
【０１８８】
もし、１０ｍｓｅｃフレーム当たり同期チャンネルのシンボル個数が１０である場合（つまり、跳躍コードの長さが１０である場合）には図８の構造で４．６ｍｓｅｃ以内に見られるシンボル数は最悪の場合に４個となる。この場合にはサイクリックシフトされたコードワード間最大衝突個数が３でなければならない（つまり、最小ハミング距離は７でなければならない）。
【０１８９】
結局、ＧＳＭの４．６ｍｓｅｃ送信ｇａｐ（ｔｒａｎｓｍｉｓｓｉｏｎ ｇａｐ）区間の間に受信できる最小の同期チャンネルシンボルの個数（図１０のＴＤＭ方式の場合に２次同期チャンネルシンボルの個数）をＱとする時、前記跳躍コードの任意のサイクリックシフトされた跳躍コードワード間最大衝突回数はＱ−１以下でなければならない。
【０１９０】
言い換えると、前記跳躍コードの長さがＬであるとする時、最小ハミング距離はＬ−Ｑ＋１以上でなければならない。
【０１９１】
もし、全てのサイクリックシフトされたコードワード間衝突個数が０である場合には、１個の２次同期チャンネルシンボルのみでも跳躍コードワード及びフレーム境界を獲得することができる。このようにサイクリックシフトされたコードワード間衝突個数が０である場合も本発明の範疇から外れない。
【０１９２】
この場合、２次同期チャンネルシーケンスは毎シンクブロック及び互いに異なるサブグループ間に一致する場合がない。
【０１９３】
図１０は本発明の１次同期チャンネル及び２次同期チャンネルをＴＤＭで実現する一例を示す。
【０１９４】
ＴＤＭの場合にも２次同期チャンネルにシーケンス跳躍を行う概念は図８のＦＤＭの場合と同一である。ＦＤＭ方式との差異点は１次同期チャンネルシンボル１６０と２次同期チャンネルシンボル１７０が占める位置が図１０で分かるように互いに異なるシンボル位置（ＴＤＭ）であることである。
【０１９５】
ＴＤＭ方式で１次同期チャンネルの場合には占有帯域を全て使用することができ、図１１のようには毎奇数サブキャリアのみ使用することもできるが、図１１のように奇数サブキャリアのみ利用する場合（または毎偶数サブキャリアのみ使用する場合）、時間領域信号に反復パターンを与えることでセル探索１段階でレプリカ（ｒｅｐｌｉｃａ）方式の並列相関器以外に構造が非常に簡単な差等相関器（ｄｉｆｆｅｒｅｎｔｉａｌ ｃｏｒｒｅａｌａｔｏｒ）を使用するためである。  
これについては後述する。
【０１９６】
ＴＤＭ方式の場合も１次同期チャンネルシーケンスのエレメント、つまり、ａ(k)0、ａ(k)1、ａ(k)2、…、ａ(k)37はそれぞれ複素値あるいは実数値を有し、図１１に例示されたように１次同期チャンネル副搬送波２６０に割り当てられて伝送される。
【０１９７】
このような１次同期チャンネルシーケンスは任意のシーケンスを使用することができるが、時間領域信号に変更した時、自己相関及び相互相関特性が良くなければならない。前記１次同期チャンネルシーケンスの時間領域信号成分も複素値または実数値を有することができる。
【０１９８】
前記１次同期チャンネルシーケンスはセルグループ１０別に異なるシーケンスが割り当てられ、順方向リンクに伝送される全てのフレームの全てのシンクブロック１４０内の１次同期チャンネルシンボル位置１６０で同一なシーケンスが使用される。
【０１９９】
移動局受信機はこのような１次同期チャンネルの特徴を利用してセル探索１段階でシンクブロック同期を獲得するために累積（アキュムレーション）技術を導入することができる。これについては後述する。
【０２００】
一方、図１１でＣ(k)＝[ｃ(k)0、ｃ(k)1、ｃ(k)2、…、ｃ(k)74]は当該同期チャンネルシンボル位置に対応する跳躍コードワードのエレメントインデックスがｋである２次同期チャンネルシーケンスを示す。
【０２０１】
２次同期チャンネルシーケンスのエレメント、つまり、ｃ(k)0、ｃ(k)1、ｃ(k)2、…、ｃ(k)74はそれぞれ複素値を有し、図１１に例示されたように２次同期チャンネル副搬送波２７０に割り当てられて伝送される。
【０２０２】
このような２次同期チャンネルシーケンスは任意のシーケンスを使用することができ、ここでは一例として前記の数式１で定義されるＧＣＬ（Ｇｅｎｅｒａｌｉｚｅｄ Ｃｈｉｒｐ Ｌｉｋｅ）シーケンスを使用することができる。
【０２０３】
前記数式１で定義されるＧＣＬシーケンスは単に２次同期チャンネルシーケンスとして使用できるシーケンスの一例であり、ＧＣＬシーケンス以外の他のシーケンス、例えばゴールドシーケンスあるいは最長長さシーケンスあるいはこれらシーケンスの組み合わせからなるシーケンスなども本発明の範疇から外れない。
【０２０４】
一方、ＯＦＤＭシステムは２種類のサブフレームを定義する。つまり、１つは主にユニキャスト（ｕｎｉｃａｓｔ）サービスを支援するためであり、他の１つは主にＭＢＭＳサービスを支援するためのものである。
【０２０５】
ユニキャストサービスを支援するためのサブフレームはサブフレーム当たりＯＦＤＭシンボルが７個であり、ＭＢＭＳサービスを支援するためのサブフレームはサブフレーム当たりＯＦＤＭシンボルが６個である。
【０２０６】
２つの場合、ＣＰの長さが互いに異なる。図１２Ａは短いＣＰ構造を有するＯＦＤＭシンボルの時間領域概念図であり、図１２Ｂは長いＣＰ構造を有するＯＦＤＭシンボルの時間領域概念図である。ＣＰを除いた残りの部分の長さ（３２０、３３０）はＣＰの長さに関係なく同一である。
【０２０７】
サブフレーム当たりシンボルが７個である場合は図１２Ａのように短いＣＰ構造を使用し、シンボルが６個である場合は図１２Ｂのように長いＣＰ構造を使用する。問題はＯＦＤＭシステムの場合に１０ｍｓｅｃフレーム内に前記短いＣＰを有するサブフレームと前記長いＣＰを有するサブフレームが混在することもあると言うことである。
【０２０８】
図８のように１次同期チャンネルと２次同期チャンネルがＦＤＭ方式で結合される場合、同期チャンネルが存在するサブフレームに同期チャンネルシンボルが１個のみ伝送されるので、前記で言及したように同期チャンネルシンボル位置をサブフレームの最終に位置するとサブフレーム当たりＣＰの長さが異なってもＣＰを除いた部分の長さ（３２０、３３０）が同一であるために移動局がセル探索するのに問題がない。
【０２０９】
これに反し、図１１のように１次同期チャンネルと２次同期チャンネルが１つのサブフレーム内に共に存在し、ＴＤＭに区分されている場合は現在サブフレームが図１３Ａ及び１３Ｂのように長いＣＰを有するフレームの時と短いＣＰを有するフレームの時に１次同期チャンネルシンボルの開始点が異なって、後述するがセル探索１段階でシンクブロック境界検出タイミング不明瞭性（ｔｉｍｉｎｇ 不明瞭性）問題が発生し、１段階性能を高めるアキュムレーション（ａｃｃｕｍｕｌａｔｉｏｎ）技術導入ができない問題が発生する。
【０２１０】
１次同期チャンネルと２次同期チャンネルをＴＤＭ方式で結合する本発明の方法において、このような問題を解決する方法は２種類がある。
【０２１１】
第１の方法は、前記１次同期チャンネル及び２次同期チャンネルを同時に含むサブフレーム（つまり、図１０で３、７、１１、１５、１９番サブフレーム）はＯＦＤＭシンボルが全て同一なＣＰの長さを有するようにする方法である。前記サブフレームは全て短いＣＰを有したりあるいは全て長いＣＰを有するようにする方法である。
【０２１２】
第２の方法は、１次同期チャンネルシンボル１６０は図１４のようにサブフレームの最後に位置させ、２次同期チャンネルシンボル３６０は直後にくるサブフレームの最初の位置に位置させることである。
【０２１３】
この場合、前記１次同期チャンネルが位置するサブフレームと前記２次同期チャンネルが位置するサブフレーム間の境界３７０で可能な時間領域同期チャンネル概念図は図１５Ａ乃至１５Ｄの通りである。
【０２１４】
この場合、ＣＰを除いた１次同期チャンネルシンボル区間はＣＰ長さに関係なくいつも一定位置に存在する。この場合、セル探索１段階でタイミング不明瞭性がなくなってアキュムレーション技術を導入することができる。これに反し、２次同期チャンネルの場合にはＣＰを除いた２次同期チャンネルシンボル位置は図１５Ａ乃至１５ＤのようにＣＰ長さに応じて変わり得る。
【０２１５】
この場合、２次同期チャンネルを利用するセル探索２段階でタイミング不明瞭性問題が発生することがある。これを解決する方法は長いＣＰを有するサブフレーム最前方のシンボルに前記２次同期チャンネルが位置する場合、図１６Ａ乃至１６Ｄのように接尾語（ｐｏｓｔｆｉｘ）３９０を挿入する方法である。
【０２１６】
この場合、ＣＰ及び接尾語３９０を除いた２次同期チャンネルシンボル区間は長いサブフレームであっても短いＣＰサブフレームであっても位置が同一であり、前記不明瞭性問題を解決することができる。
【０２１７】
図１４のように１次同期チャンネルがサブフレームの最後シンボル位置に位置し、２次同期チャンネルがサブフレームの最初に位置する本発明のＴＤＭ方式において、２次同期チャンネルが位置するサブフレームの第１シンボル領域は共通パイロットシンボルが存在する領域である。
【０２１８】
前記共通パイロットシンボルは順方向リンクのデータチャンネルをコヒーレント復調するためのチャンネル推定用として使用される共通チャンネルであるため、前記２次同期チャンネルが前記共通パイロットシンボルが使用する副搬送波の位置は占有してはならない。
【０２１９】
図１７は前記の２次同期チャンネルがサブフレームの第１シンボルに位置する場合にパイロット副搬送波と２次同期チャンネル副搬送波間同期チャンネル帯域内でＦＤＭで構成されている本発明の方法を示す。
【０２２０】
一方、同期チャンネル占有帯域を割り当てる方法としてはシステムに割り当てられた全体帯域のうちの一部のみを同期チャンネルが占めることもできる。前記方法に適用できるシステムの例としては、ＯＦＤＭシステムのように測定可能な（ｓｃａｌａｂｌｅ）な帯域幅を支援するシステムがある。
【０２２１】
つまり、１．２５ＭＨｚのみを使用する移動局、２．５ＭＨｚを使用する移動局、５ＭＨｚ、１０ＭＨｚ、１５ＭＨｚ、２０ＭＨｚなどを使用する全ての移動局が基地局システムの同期を獲得するためには、図１８に例示されたように同期チャンネルシンボルそれぞれは全システム帯域幅３１０の一部のみを占めることがよい。
【０２２２】
例えば、システム帯域幅が１．２５、２．５、１０、１５ＭＨｚである場合、正中央の１．２５ＭＨｚのみを使用することが挙げられる。一方、システム帯域幅が２０ＭＨｚである場合、移動局の最小帯域が１０ＭＨｚであるので、通話中に号の断絶なく隣接基地局を探索するために２個の同期チャンネル帯域を２０ＭＨｚ内に置くことができる。
【０２２３】
一方、後述するが、移動局のセル探索器は同期チャンネル占有帯域２００のみを通過させるフィルタリングを行うことでセル探索性能を高めることができる。
【０２２４】
本発明の基地局は同期チャンネルに前記で説明した１次同期チャンネル、２次同期チャンネル、共通パイロットチャンネル、そしてデータチャンネルをセル耐移動局に伝送する。
【０２２５】
図１９は本発明の一実施例による基地局の構成を示すブロック図で、同期チャンネル生成部４００、共通パイロットチャンネル生成部４０１、トラフィックチャンネル生成部４０２、ダイバーシティ制御器４０３、ＯＦＤＭシンボルマッピング部（４０４−Ａ、４０４−Ｂ）、スクランブリング部（４０５−Ａ、４０５−Ｂ）、逆フーリエ変換部（４０６−Ａ、４０６−Ｂ）、接頭語挿入部（４０７−Ａ、４０７−Ｂ）、ＩＦ/ＲＦ部（４０８−Ａ、４０８−Ｂ）及び送信アンテナ（４０９−Ａ、４０９−Ｂ）を含んで構成される。
【０２２６】
トラフィックチャンネル生成部４０２は、図９、図１１、図１７の参照番号２２０のように伝送するトラフィックデータを生成し、共通パイロットチャンネル生成部４０１は図９、図１１、図１７の参照番号２１０で定義されたパイロットシンボルを生成する。また、同期チャンネル生成部４００は前記１次同期チャンネルシンボル及び２次同期チャンネルシンボルを生成する。
【０２２７】
ＯＦＤＭシンボルマッピング部（４０４−Ａ、４０４−Ｂ）は各チャンネルのシンボル値を図９または図１１または図１７の例のように周波数領域上の各位置にマッピングする役割を果たす。スクランブリング部（４０５−Ａ、４０５−Ｂ）はＯＦＤＭシンボルマッピング部（４０４−Ａ、４０４−Ｂ）の出力、つまり、マッピング結果の中で同期チャンネルシンボル以外のＯＦＤＭシンボルに対して周波数領域上で基地局特別固有のスクランブリングコードを掛ける。
【０２２８】
逆フーリエ変換部（４０６−Ａ、４０６−Ｂ）はスクランブリング部（４０５−Ａ、４０５−Ｂ）の出力を逆フーリエ変換して時間領域信号を生成する。
【０２２９】
接頭語挿入部（４０７−Ａ、４０７−Ｂ）はチャンネルの多重経路遅延にもＯＦＤＭ信号の復調を可能にするためのサイクリック接頭語ＣＰを前記逆フーリエ変換部（４０６−Ａ、４０６−Ｂ）の出力に挿入する。
【０２３０】
もし、現基地局が図１６Ａ乃至１６Ｄで定義される１次同期チャンネルと２次同期チャンネルがＴＤＭ方式からなって１次同期チャンネルがサブフレームの最終に位置し、２次同期チャンネルは次のサブフレームの最前方に位置する場合、２次同期チャンネルが位置するシンボルに対しては現在サブフレームが長いＣＰを有するサブフレームの場合には、前記接頭語挿入部（４０７−Ａ、４０７−Ｂ）は図１６Ｂあるいは１６Ｄのようにサイクリック接頭語ＣＰだけでなく接尾語３９０を前記逆フーリエ変換部（４０６−Ａ、４０６−Ｂ）の出力に挿入する。
【０２３１】
ＩＦ/ＲＦ部（４０８−Ａ、４０８−Ｂ）は基底帯域信号である接頭語挿入部（４０７−Ａ、４０７−Ｂ）の出力信号をバンドパス信号に上向変換（Ｕｐ−Ｃｏｎｖｅｒｔｉｎｇ）し、上向変換された信号を増幅する。
【０２３２】
送信アンテナ（４０９−Ａ、４０９−Ｂ）は前記増幅された信号を送信する。
【０２３３】
図１９の例には送信アンテナ（４０９−Ａ、４０９−Ｂ）が２つであることが分かる。つまり、本発明の一実施例による基地局が送信アンテナ４０９−Ｂなく送信アンテナ４０９−Ａを１個のみ備えていると、ＯＦＤＭシンボルマッピングユニット４０４−Ｂ、スクランブラー４０５−Ｂ、逆フーリエ変換器４０６−Ｂ、接頭語挿入部４０７−Ｂ、ＩＦ/ＲＦユニット４０８−Ｂ及びダイバーシティ制御器４０３を省略してもよい。
【０２３４】
図１９では基地局システムの送信端に２個の送信アンテナを利用して送信ダイバーシティに同期チャンネルシンボルを伝送する場合である。
【０２３５】
図１９に例示したダイバーシティ制御器４０３を通じた送信ダイバーシティを説明する。空間ダイバーシティを得るために図８の場合には隣接したシンクブロック１４０に属する同期チャンネルシンボルをそれぞれ互いに異なるアンテナに伝送する。
【０２３６】
例えば、第１シンクブロックにある同期チャンネルシンボルは第１送信アンテナ４０９−Ａに、第２シンクブロックにある同期チャンネルシンボルは第２送信アンテナ４０９−Ｂに、第３シンクブロックにある同期チャンネルシンボルは再び第１送信アンテナ４０９−Ａに伝送する。
【０２３７】
上述したダイバーシティを行うためのスイッチングをダイバーシティ制御部４０３が行う。つまり、同期チャンネルに時間スイッチング送信ダイバーシティ（Ｔｉｍｅ Ｓｗｉｃｈｉｎｇ Ｔｒａｎｓｍｉｔ Ｄｉｖｅｒｓｉｔｙ:ＴＳＴＤ）を適用する方法として、同期チャンネル生成部４００の出力をダイバーシティ制御器４０３がスイッチングしてＯＦＤＭシンボルマッピング部４０４−ＡまたはＯＦＤＭシンボルマッピング部４０４−Ｂに提供することである。
【０２３８】
図１０あるいは図１４のようなＴＤＭ方式においてもＴＳＴＤが適用されるが、直ちに隣接した１次同期チャンネルシンボルと２次同期チャンネルシンボルは必ず同一なアンテナに伝送されなければならない。その理由は、このようにする場合にのみ移動局で１次同期チャンネルシンボルのチャンネル推定値を利用して２次同期チャンネルシンボルをコヒーレントするように復調することができるためである。
【０２３９】
一方、上述した空間ダイバーシティまたはＴＳＴＤダイバーシティの他にも遅延ダイバーシティを送信ダイバーシティとして適用することができる。
【０２４０】
図２０は本発明の一実施例による移動局の受信機の構成を示すブロック図である。移動局は少なくともひとつの受信アンテナを有し、図２０は受信アンテナが２個である場合に対する例示図である。
【０２４１】
図２０を参照すると、本発明の一実施例による移動局の受信機は受信アンテナ（５００−Ａ、５００−Ｂ）、下向変換部（５１０−Ａ、５１０−Ｂ）、セル探索部６００、データチャンネル復調部５２０、制御部５３０及びクロック発生器５４０を含んで構成される。
【０２４２】
それぞれの基地局から送信されるＲＦ信号形態であるフレームは受信アンテナ（５００−Ａ、５００−Ｂ）を通じて受信された後、下向変換部（５１０−Ａ、５１０−Ｂ）を通じて基底帯域信号（Ｓ１、Ｓ２）に変換される。
【０２４３】
セル探索部６００は前記下向変換された信号（Ｓ１、Ｓ２）に含まれた１次同期チャンネルシンボル及び２次同期チャンネルシンボルそして共通パイロットチャンネルシンボルを利用してターゲットセルに対する探索を行う。
【０２４４】
セル探索結果の例としてはターゲットセルの同期チャンネルシンボル同期、シンクブロック１４０タイミング、フレーム境界、セル識別子を検出することがあり、ターゲットセルの探索の例としては移動局が最初に初期セルを探索する場合やハンドオーバーのために隣接セルを探索することがある。
【０２４５】
制御部５３０はセル探索部６００及びデータチャンネル復調部５２０を制御する。つまり、制御部５３０はセル探索器６００を制御して獲得されたセル探索結果に基づいてデータチャンネル復調器５２０のタイミング、逆スクランブリングなどを制御する。
【０２４６】
データチャンネル復調部５３０は制御部５３０の制御によって下向変換された信号に含まれた図９、１１、１７の参照番号２２０のようなトラフィックチャンネルデータを復調する。一方、クロック発生器５４０によって生成されたクロックに同期化されて移動局の全てのハードウェアが動作する。
【０２４７】
図２０を参照すると、セル探索器６００は同期チャンネル帯域フィルター（６１０−Ａ、６１０−Ｂ）、同期及びグループ検出部６２０、跳躍コード検出部６４０、セル識別子検出部６８０を含んで構成される。
【０２４８】
同期チャンネル帯域フィルター（６１０−Ａ、６１０−Ｂ）は前記下向変換された信号（Ｓ１、Ｓ２）に対して図９、１１、１７で説明した通り全体ＯＦＤＭ信号帯域３１０のうちの同期チャンネル占有帯域２００のみを通過させるバンドパスフィルタリングを行う。
【０２４９】
同期及びグループ検出部６２０は前記フィルタリングされた信号（Ｓ３、Ｓ４）に含まれた１次同期チャンネル信号を利用して同期情報（つまり、同期チャンネルシンボルタイミング、シンクブロックタイミングまたはシンクブロック境界）Ｓ５及びセルグループ情報（１次同期チャンネルシーケンス番号）Ｓ６を獲得する。
【０２５０】
跳躍コード検出部６４０は前記獲得された同期情報Ｓ５及びセルグループ情報（１次同期チャンネルシーケンス番号）Ｓ６、そして移動局メモリに既に貯蔵された表１のような跳躍コードワードテーブルを利用し、前記フィルタリングされた信号（Ｓ３、Ｓ４）に含まれた２次同期チャンネル信号を利用してセルサブグループ識別子Ｓ７及びフレーム境界Ｓ８を検出し、検出した結果をセル識別子検出器に渡す。
【０２５１】
この時、以前段階で獲得した１次同期チャンネルコードを利用したチャンネル推定に基づくコヒーレント復調を行うことによってセル探索２段階の性能を高めることができる。
【０２５２】
もし、セルラーシステムが本発明のコード割り当て方法３（図３）、コード割り当て方法４（図４）またはコード割り当て方法６（図５Ｂ）を使用するシステムである場合、サブグループとセル識別子が一対一対応するので、前記のサブグループ識別子はそのままセル識別子となる。
【０２５３】
前記跳躍コード検出部６４０の役割を本発明のコード割り当て方法によって詳しく説明すると次の通りである。
【０２５４】
前記本発明のコード割り当て方法１に対する本発明による跳躍コード検出部６４０は前記同期及びグループ検出部で獲得された同期及びセルグループ情報（１次同期チャンネルシーケンス番号）を利用し、前記フィルタリングされた信号（Ｓ３、Ｓ４）に含まれた２次同期チャンネル信号を利用してターゲットセルのサイクリックシフトされた跳躍コードワードを検出し、前記検出したサイクリックシフトされた跳躍コードワードに対応する前記ターゲットセルのセルサブグループ識別子Ｓ７及びフレームタイミング（境界）情報Ｓ８を検出してセル識別子検出部に渡す。
【０２５５】
前記本発明のコード割り当て方法２に対する本発明による跳躍コード検出部６４０は前記同期及びグループ検出部で獲得された同期情報を利用し、前記フィルタリングされた信号（Ｓ３、Ｓ４）に含まれた２次同期チャンネル信号を利用してターゲットセルのサイクリックシフトされた跳躍コードワードを検出し、前記検出したサイクリックシフトされた跳躍コードワードと前記同期及びグループ検出部で獲得したセルグループ情報（１次同期チャンネルシーケンス番号）を利用して前記ターゲットセルのセルサブグループＳ７及びフレームタイミングＳ８を検出してセル識別子検出部に渡す。
【０２５６】
前記本発明のコード割り当て方法３に対する本発明による跳躍コード検出部６４０は前記同期及びグループ検出部で獲得された同期及びセルグループ情報（１次同期チャンネルシーケンス番号）を利用し、前記フィルタリングされた信号（Ｓ３、Ｓ４）に含まれた２次同期チャンネル信号を利用してターゲットセルのサイクリックシフトされた跳躍コードワードを検出し、前記検出したサイクリックシフトされた跳躍コードワードに対応する前記ターゲットセルのサブグループ識別子Ｓ７及びフレームタイミングＳ８を検出してセル識別子検出部に渡す。この場合、セルサブグループ識別子とセル識別子は一対一対応してサブグループ識別子Ｓ７がセル識別子Ｓ９と同一であるので、セル識別子検出部６８０は以前段階に対する確認モードで動作したり、省略（ｂｙ ｐａｓｓ）されてもよい。
【０２５７】
前記本発明のコード割り当て方法４に対する本発明による跳躍コード検出部６４０は前記同期及びグループ検出部で獲得された同期情報を利用し、前記フィルタリングされた信号（Ｓ３、Ｓ４）に含まれた２次同期チャンネル信号を利用してターゲットセルのサイクリックシフトされた跳躍コードワードを検出し、前記検出したサイクリックシフトされた跳躍コードワードと前記同期及びセルグループ獲得部で獲得したセルグループ情報（１次同期チャンネルシーケンス番号）を利用して前記ターゲットセルのサブグループ識別子Ｓ７及びフレームタイミングＳ８を検出してセル識別子検出部に渡す。この場合、セルサブグループ識別子とセル識別子は一対一対応してサブグループ識別子Ｓ７がセル識別子Ｓ９と同一であるので、セル識別子検出部６８０は前段階に対する確認モードで動作したり、省略されてもよい。
【０２５８】
前記本発明のコード割り当て方法５に対する本発明による跳躍コード検出部６４０は前記同期及びグループ検出部で獲得された同期情報を利用し、前記フィルタリングされた信号（Ｓ３、Ｓ４）に含まれた２次同期チャンネル信号を利用してターゲットセルのサイクリックシフトされた跳躍コードワードを検出し、前記検出したサイクリックシフトされた跳躍コードワードに対応する前記ターゲットセルのセルサブグループＳ７及びフレームタイミングＳ８を検出してセル識別子検出部に渡す。
【０２５９】
前記本発明のコード割り当て方法６に対する本発明による跳躍コード検出部６４０は前記同期及びグループ検出部で獲得された同期情報を利用し、前記フィルタリングされた信号（Ｓ３、Ｓ４）に含まれた２次同期チャンネル信号を利用してターゲットセルのサイクリックシフトされた跳躍コードワードを検出し、前記検出したサイクリックシフトされた跳躍コードワードに対応する前記ターゲットセルのサブグループ識別子Ｓ７及びフレームタイミングＳ８を検出してセル識別子検出部に渡す。この場合、セルサブグループ識別子とセル識別子は一対一対応してサブグループ識別子Ｓ７がセル識別子Ｓ９と同一であるので、セル識別子検出部６８０は以前段階に対する確認モードで動作したり省略されてもよい。
【０２６０】
前記本発明のコード割り当て方法７に対する本発明による移動局セル探索部６００は前記跳躍コード検出部６４０を含まず、前記同期及びグループ検出部６２０で検出したセルグループ情報（１次同期チャンネルシーケンス番号）Ｓ５及びシンクブロックタイミング情報Ｓ６をセル識別子検出部６８０に直接渡す。
【０２６１】
一方、セル識別子検出部６８０は本発明のコード割り当て方法１、コード割り当て方法２、コード割り当て方法５の場合前記跳躍コード検出部６４０から受けたフレームタイミング（境界）情報Ｓ８及びサブグループ情報Ｓ７を受けて、前記下向変換された信号（Ｓ１、Ｓ２）のうちの共通パイロットチャンネル信号に対するパイロット相関を通じてセル識別子を検出する。
【０２６２】
この時に行うパイロット相関の個数は前記跳躍コード検出部から受けたサブグループ内セル識別子の個数と同一であり、それぞれのパイロット相関器のパイロットスクランブリングコードはセル識別子と一対一対応する。
【０２６３】
セル識別子検出部６８０は本発明のコード割り当て方法２、コード割り当て方法３、コード割り当て方法６の場合に前記跳躍コード検出部６４０から受けたサブグループ識別子Ｓ７がセル識別子と一対一対応するので、前記跳躍コード検出部６４０から受けたサブグループ情報Ｓ７をセル識別子Ｓ９と見なして制御器に渡すことができる。
【０２６４】
セル識別子検出部６８０は本発明のコード割り当て方法２、コード割り当て方法３、コード割り当て方法６の場合に前記跳躍コード検出部６４０から受けたサブグループ識別子Ｓ７がセル識別子と一対一対応するので、前記跳躍コード検出部６４０から受けたフレームタイミング（境界）情報Ｓ８及びサブグループ情報Ｓ７を受けて、前記下向変換された信号（Ｓ１、Ｓ２）のうちの共通パイロットチャンネル信号に対するパイロット相関を通じてセル識別子の検証用として使用することができる。
【０２６５】
この時、パイロット相関器の個数は１個であり、相関器のパイロットスクランブリングコードは前記サブグループ情報Ｓ７と一対一対応するセル識別子に対応するコードである。
【０２６６】
図２１は図２０の同期獲得部６２０の構成を例示するブロック図である。図２１を参照すると、本発明の一実施例による同期獲得部６２０は並列相関器（６２１−Ａ、６２１−Ｂ）、累積器６２３及びタイミング決定部６２４を含んで構成される。
【０２６７】
並列相関器（６２１−Ａ、６２１−Ｂ）はシステムで使用するセルグループの全個数（図１の場合８個）だけの可能な１次同期チャンネルシーケンスに相当する時間領域信号を既に貯蔵し、貯蔵された信号と同期チャンネル帯域フィルター（６１０−Ａ、６１０−Ｂ）の出力信号（Ｓ３、Ｓ４）を並列相関を行う。
【０２６８】
また、コード割り当て方法５及び６で複数個の１次同期チャンネルシーケンスを使用する場合、各１次同期チャンネルシーケンスに相当する時間領域信号を既に貯蔵し、貯蔵された信号と同期チャンネル帯域フィルター（６１０−Ａ、６１０−Ｂ）の出力信号（Ｓ３、Ｓ４）を並列相関を行う。
【０２６９】
もし、１次同期チャンネルと２次同期チャンネルがＴＤＭで構成されている図１０あるいは図１４のような場合は、このような可能な１次同期チャンネルシーケンスの時間領域信号を利用した並列相関を行ってもよく、１次同期チャンネルの時間領域反復パターン特性を利用した差等相関（ｄｉｆｆｅｒｅｎｔｉａｌ ｃｏｒｒｅｌａｔｏｒ）を利用してもよい。
【０２７０】
差等相関器を使用する場合、１次同期チャンネルシーケンスの時間領域信号のレプリカを利用する前記並列相関器に比べて演算量が非常に少なくて移動局セル探索器が簡便になり得る。また、差等相関器を使用する場合、差等相関器の個数はセルグループの個数と関係ない。
【０２７１】
これに反し、並列相関器はシステムで使用するセルグループの個数、つまり、１次同期チャンネルのシーケンスの個数に相当する相関器が必要となる。差等相関器を使用する場合の短所は前記並列相関器に比べて性能が多く落ちることである。
【０２７２】
一方、図８のＦＤＭ方式の場合には差等相関器を使用することができない。本明細書では図２１で提示する並列相関器に焦点を合わせて説明する。
【０２７３】
前記並列相関器（６２１−Ａ、６２１−Ｂ）の各相関器出力は、図８、１０、１４を参照するとシンクブロック長さ当たりそれぞれ３８４０個（サンプル）が発生し、タイミング決定部６２４はこれら差等相関値のうちのピーク値を発生するサンプルの位置を検出し、前記検出されたサンプル位置を同期チャンネルシンボルタイミング（ＦＤＭ方式の場合）あるいは１次同期チャンネルシンボルタイミング（ＴＤＭ方式の場合）で決める。
【０２７４】
但し、本発明の一実施例による同期獲得部６２０はシンボル同期検出性能を高めるために図２１のように累積器６２３をさらに含むことができる。前記サンプル個数、つまり、３８４０はシンクブロックの長さが４サブフレーム長さと同一である時、ＯＦＤＭシステムのパラメターに基づいたもので一例に過ぎない。
【０２７５】
累積器６２３はまず、２つのアンテナに対する前記相関器（６２１−Ａ、６２１−Ｂ）の出力を結合した後、前記シンクブロック当たり３８４０個の各サンプル位置に対するそれぞれのアンテナ結合値を前記各サンプル位置から毎シンクブロック長さだけ離れたサンプルに対するそれぞれの結合値を累積する役割を果たす。
【０２７６】
もし、前記相関器が１次同期チャンネルの時間領域レプリカ相関を行う並列相関器である場合、それぞれの１次同期チャンネル信号に対して前記３８４０個のバッファーが必要となる。
【０２７７】
同期獲得部６２０が累積器６２３を含む場合、タイミング及びセルグループ決定部６２４は累積器６２９に貯蔵された３８４０×ＮG（並列相関器の場合、ここでＮGはセルグループの個数である）値のうちの最大値を検出し、前記検出された最大値のサンプル位置及び当該グループ情報を検出された同期情報Ｓ５及びセルグループ情報Ｓ６として出力する。
【０２７８】
図２２は各サンプル位置に対して図２１の並列相関器（６２１−Ａ、６２１−Ｂ）の出力中ＮG−１番目１次同期チャンネル信号に対する相関器出力を示すグラフで、便宜上基地局送信端と移動局受信端間チャンネルがフェーディング及びノイズのない理想チャンネル環境を前提とした場合を示す。
【０２７９】
図２３は１次同期チャンネルと２次同期チャンネルがＦＤＭで構成されている図８のような順方向リンクフレーム構造を有するシステムで同期獲得部６２０によって獲得された同期チャンネルＯＦＤＭシンボルタイミングに基づいて跳躍コード検出部６４０に提供される入力信号の構造を例示する図面である。
【０２８０】
同期獲得部６２０によって獲得されたタイミング６４１に基づいて各ＯＦＤＭシンボルのサイクリック接頭語が除去され、それによって毎シンクブロックごとにＮSのサンプル値がグループ検出部６４０に入力される。一方、参照符号６４２−Ａ、６４２−Ｂ、６４２−Ｃ、６４２−Ｄ及び６４２−Ｅは獲得されたタイミング６４１で得られる同期チャンネルシンボルの位置を示す。
【０２８１】
図２４は１次同期チャンネルと２次同期チャンネルがＴＤＭで構成されている図１０あるいは図１４のような順方向リンクフレーム構造を有するシステムで同期獲得部６２０によって獲得された同期チャンネルＯＦＤＭシンボルタイミングに基づいて跳躍コード検出部６４０に提供される入力信号の構造を例示する図面である。
【０２８２】
同期獲得部６２０によって獲得されたタイミング６４７に基づいて各ＯＦＤＭシンボルのサイクリック接頭語が除去され、それによって毎シンクブロックごとに１次同期チャンネルシンボル領域及び２次同期チャンネルシンボル領域に該当する２×ＮSのサンプル値がグループ検出部６４０に入力される。
【０２８３】
一方、参照符号６４３−Ａ、６４３−Ｂ、６４３−Ｃ、６４３−Ｄ及び６４３−Ｅは獲得されたタイミング６４１で得られる１次同期チャンネルシンボルの位置を示し、参照符号６４４−Ａ、６４４−Ｂ、６４４−Ｃ、６４４−Ｄ及び６４４−Ｅは２次同期チャンネルシンボルの位置を示す。
【０２８４】
図１４及び１６で示されるように、１次同期チャンネルがサブフレームの最後が位置し、２次同期チャンネルがその次のフレームの第１シンボルに位置する構造である場合、前記跳躍コード検出部６４０に提供される入力信号の１次同期チャンネルシンボル領域６４３と２次同期チャンネルシンボル領域６４４間の間隔６４６は常に短いＣＰの長さと同一でなければならない。
【０２８５】
図２５は図２０の跳躍コード検出部６４０の具体的な構成を例示するブロック図で、周波数オフセット補正器６４５及びワード及び境界検出器６５０を含んで構成される。
【０２８６】
まず、順方向リンクのフレーム構造が図８のように１次同期チャンネルと２次同期チャンネルがＦＤＭ構造からなっているセルラーシステムの例を挙げて周波数オフセット補正器６４５の動作を説明する。
【０２８７】
周波数オフセット補正器６４５は同期獲得部６２０の出力Ｓ５に基づいて同期チャンネルシンボルタイミング６４１を設定し、前記同期チャンネルシンボルタイミング６４１に基づいていくつかのシンクブロック長さ区間にわたって各同期チャンネル帯域フィルター（６１０−Ａ、６１０−Ｂ）から提供されるＰ×ＮS個の同期チャンネル領域受信信号サンプル（６４２−Ａ乃至６４２−Ｅ）を貯蔵した後、このサンプル値と同期獲得部６２０から受けたセルグループ情報Ｓ６に対応する１次同期チャンネル信号のレプリカを利用してまず周波数オフセットを推定し、前記推定された周波数オフセットＳ１０に基づいてＰ×ＮS個の受信信号サンプル（６４２−Ａ乃至６４２−Ｅ）に対して周波数オフセットを補正した後、前記補正されたＰ×ＮS個の受信信号サンプル（Ｓ１１、Ｓ１２）をサブグループ及び境界検出器６５０に提供する。
【０２８８】
ここで、Ｐは周波数オフセット補正、コードグループ検出、フレーム境界検出に使用される同期チャンネルシンボルの個数を意味し、その例としては１つのフレームに含まれた同期チャンネルシンボルの個数を意味することもあり、この場合、図８を参照するとＰ＝５になる。
【０２８９】
数式３は１次同期チャンネルと２次同期チャンネルがＦＤＭで構成されているシステムで本発明の周波数オフセット補正器６４５の周波数オフセット推定方式を例示する。
【０２９０】
【数３】
2009545226.tif 000007
【０２９１】
ここで、ＲSはＯＦＤＭサンプリング周波数であり、Ａは受信アンテナ個数、Ｐは周波数オフセット推定に使用される同期チャンネルシンボル個数を示す。
【０２９２】
また、ｒa、p（ｎ）はａ番目受信アンテナに対して同期獲得部６２０から提起された初期基準タイミング６４１からｐ番目同期チャンネルシンボルのＮS個のサンプルのうちのｎ番目サンプル値を示す。Ｓｇ（ｎ）はセルグループ番号ｇに対応する１次同期チャンネルの時間領域信号（レプリカ）を示す。*は共役複素数（ｃｏｍｐｌｅｘ ｃｏｎｊｕｇａｔｅ）である。
【０２９３】
順方向リンクのフレーム構造が図１０あるいは１４のように１次同期チャンネルと２次同期チャンネルがＴＤＭ構造になっているセルラーシステムの場合、周波数オフセット補正器６４５の動作は次の通りである。
【０２９４】
周波数オフセット補正器６４５は同期獲得部６２０の出力Ｓ５に基づいて１次同期チャンネルシンボルタイミング６４７を設定し、前記１次同期チャンネルシンボルタイミング６４７に基づいていくつかのシンクブロック長さ区間にわたって各同期チャンネル帯域フィルター（６１０−Ａ、６１０−Ｂ）から提供される１次同期チャンネル領域のＰ×ＮS個の受信信号サンプル（６４３−Ａ乃至６４３−Ｅ）を貯蔵した後、このサンプル値を利用してまず周波数オフセットを推定し、前記推定された周波数オフセットＳ１０に基づいてＰ×ＮS個の１次同期チャンネル領域の受信信号サンプル（６４３−Ａ乃至６４３−Ｅ）及びＰ×ＮS個の２次同期チャンネル領域の受信信号サンプル（６４４−Ａ乃至６４４−Ｅ）に対して周波数オフセットを補正した後、前記補正されたＰ×ＮS個の１次同期チャンネル領域受信信号サンプル及び前記補正されたＰ×ＮS個の２次同期チャンネル領域受信信号サンプル（Ｓ１１、Ｓ１２）をサブグループ及び境界検出器６５０に提供する。
【０２９５】
後述するが、１次同期チャンネルサンプル（６４３−Ａ乃至６４３−Ｅ）は２次同期チャンネルをコヒーレントに復調する時、チャンネル推定用として使用される。
【０２９６】
ここで、Ｐは周波数オフセット補正、コードグループ検出、フレーム境界検出に使用される同期チャンネルシンボルの個数を意味し、その例としては１つのフレームに含まれた同期チャンネルシンボルの個数を意味することができ、この場合、図１０及び図１４を参照するとＰ＝５になる。
【０２９７】
数式４は１次同期チャンネルと２次同期チャンネルがＴＤＭで構成されているシステムで本発明の周波数オフセット補正器６４５の周波数オフセット推定方式を例示する。ＴＤＭ方式の場合、１次同期チャンネル領域での受信信号６４４−Ａ乃至６４４−Ｅ）が時間軸上で反復特性を有するので、数式４のように差等相関技法を使用することができる。
【０２９８】
【数４】
2009545226.tif 000008
【０２９９】
ここで、ＲSはＯＦＤＭサンプリング周波数であり、Ａは受信アンテナ個数、Ｐは周波数オフセット推定に使用される同期チャンネルシンボル個数を示す。また、ｒa、p（ｎ）はａ番目受信アンテナに対して同期獲得部６２０から提供された初期基準タイミング６４７からｐ番目同期チャンネルシンボルのＮS個のサンプルのうちのｎ番目サンプル値を示す。
【０３００】
一方、数式５は周波数オフセット補正器６４５の周波数オフセット補正方式を例示する。
【０３０１】
【数５】
2009545226.tif 000009
【０３０２】
つまり、周波数オフセット補正器６４５は上述した方法と推定された周波数オフセット値を利用して図２３のＰ×ＮS個の受信サンプルあるいは図２４の２×Ｐ×ＮS個の受信サンプルの周波数オフセットを数式４を利用して補正する。周波数オフセット補正器６４５は周波数オフセット補正されたサンプル（Ｓ１１、Ｓ１２）ｒ'a、pをＮS個ずつ順次にサブグループ及び境界検出器６５０に提供する。
【０３０３】
サブグループ及び境界検出器６５０は前記周波数オフセット補正されたサンプル（Ｓ１１、Ｓ１２）及び既に貯蔵された表１のような跳躍コードを利用してサブグループ識別子及び１０ｍｓｅｃフレームタイミングを検出し、検出されたサブグループ情報（Ｓ７及びフレームタイミング（境界）情報Ｓ８をコード検出部６８０に提供する。
【０３０４】
図２６は図２５のサブグループ及び境界検出器６５０の具体的な構成を例示するブロック図で、コード相関度算出部（６６５−Ａ、６６５−Ｂ）、結合器（ｃｏｍｂｉｎｅｒ）６５６、相関度バッファー６５７、跳躍コード貯蔵部６５９、コードワード検出部６５８、境界検出部６４９及びサブグループ検出部６４８を含んで構成される。
【０３０５】
移動局は２次同期チャンネルシンボルそれぞれが含んでいる同期チャンネルシーケンスインデックスが何であるかを知らないために同期チャンネルシンボルそれぞれのＮS個のサンプルに対して全ての可能なシーケンスに対する相関度を算出しなければならない。
【０３０６】
コード相関度算出部（６６５−Ａ、６６５−Ｂ）は周波数オフセット補正器６４５から周波数オフセット補正された２次同期チャンネルシンボル（Ｓ１１、Ｓ１２）それぞれに対してシステムで使用される２次同期チャンネルシーケンスそれぞれに対する相関度を算出する。
【０３０７】
結合器６５６はコード相関度算出部（６６５−Ａ、６６５−Ｂ）の出力を結合して毎同期チャンネルシンボルごとにＮ−１個の前記結合された相関度値を相関度バッファー６５７に提供する。
【０３０８】
相関度バッファー６５７は観測個数のＰ個だけの２次同期チャンネルシンボルそれぞれに対するＮ−１個の相関度値をバッファリングする。結局、相関度バッファー６５７にはＰ×（Ｎ−１）個の相関度値が貯蔵される。
【０３０９】
跳躍コード貯蔵部６５６は表１のような複数個の跳躍コードワードを貯蔵する。
【０３１０】
コードワード検出部６５８は前記貯蔵された跳躍コードワード及び前記貯蔵された跳躍コードワードの全てのサイクリックシフトされたコードワードそれぞれに対して各跳躍コードワードエレメントインデックスにマッピングされる前記同期チャンネルシーケンスの算出された相関度の合計を算出し、前記算出された結果に基づいて前記同期チャンネルシンボルに含まれたサイクリックシフトされた跳躍コードワード番号を検出する。
【０３１１】
境界検出部６４９は前記検出された跳躍コードワードに対するサイクリックシフトインデックスに基づいてフレーム境界Ｓ８を検出する。また、サブグループ検出部６４８は前記検出された跳躍コードワード番号に基づいてサブグループＳ７を検出する。詳しい検出過程は後述する。
【０３１２】
特に、同期チャンネルシーケンスがＧＣＬシーケンス基盤である場合、コード相関度算出部（６６５−Ａ、６６５−Ｂ）は図２６を参照すると、第１データ獲得部（８００−Ａ、８００−Ｂ）、第２データ生成部（６５３−Ａ、６５３−Ｂ）及び相関度生成部（８２０−Ａ、８２０−Ｂ）を含んで構成される。図２６のコード相関度算出部（６６５−Ａ、６６５−Ｂ）は２次同期チャンネルシンボルのみを利用するノンコヒーレント方式の例であり、コヒーレント方式の場合には１次同期チャンネルを利用してチャンネル推定した値を２次同期チャンネルの復調に使用することができる。
【０３１３】
本明細書ではノンコヒーレント方法に焦点を合わせて説明する。
【０３１４】
図２６を参照すると、第１データ獲得部（８００−Ａ、８００−Ｂ）はフーリエ変換器（６５１−Ａ、６５１−Ｂ）、デマッピング部（ｄｅｍａｐｐｅｒ：６５２−Ａ、６５２−Ｂ）を含んで構成される。フーリエ変換器（６５１−Ａ、６５１−Ｂ）はそれぞれの２次同期チャンネルシンボル領域に対するサンプル（Ｓ１１、Ｓ１２）に対してフーリエ変換をしてＮS個の周波数ドメイン値を獲得し、デマッピング部（６５２−Ａ、６５２−Ｂ）は前記獲得したＮS個の周波数ドメイン値の中で２次同期チャンネルシーケンスのチップが割り当てられた副搬送波のデータを獲得する。
【０３１５】
第２データ生成部（６５３−Ａ、６５３−Ｂ）は前記デマッピング部（６５２−Ａ、６５２−Ｂ）の出力の提供を受け、数式６で定義される差等符号化（ｄｉｆｆｅｒｅｎｔｉａｌ ｅｎｃｏｄｉｎｇ）を行う。
【０３１６】
【数６】
2009545226.tif 000010
【０３１７】
ここで、ｙ（ｎ）はデマッピング部（６５２−Ａ、６５２−Ｂ）の出力であり、ｕ（ｎ）は第２データ生成部（６５３−Ａ、６５３−Ｂ）の出力である。このような差等符号化を行う理由はＮ個の周波数領域信号成分からＧＣＬシーケンス番号ｋに相当する線形（ｌｉｎｅａｒ）位相転移のみを求めるためである。つまり、チャンネル歪曲とノイズがない環境であると仮定した時、ｕ（ｎ）は数式６のように表現される。
【０３１８】
【数７】
2009545226.tif 000011
【０３１９】
数式７でｋはＧＣＬシーケンス識別子として数式１で提示したように１からＮ−１の値を有することができる。
【０３２０】
相関度生成部（８２０−Ａ、８２０−Ｂ）は各同期チャンネルシンボルのＮ個のｕ（ｎ）値、つまり、第２データ生成部（８１０−Ａ、８１０−Ｂ）の出力を逆フーリエ変換し、前記変換結果の絶対値（ノンコヒーレント方式）で各跳躍コードワードに対する同期チャンネルシンボルの相関度を算出する。相関度生成部（８２０−Ａ、８２０−Ｂ）は図２６を参照すると逆フーリエ変換器（６５４−Ａ、６５４−Ｂ）及び大きさ算出部（６５５−Ａ、６５５−Ｂ）を含んで構成される。
【０３２１】
逆フーリエ変換器（６５４−Ａ、６５４−Ｂ）は第２データ生成部（８１０−Ａ、８１０−Ｂ）の出力を逆フーリエ変換して各同期チャンネルシンボル当りＮ個の複素サンプルを生成する。大きさ算出部（６５５−Ａ、６５５−Ｂ）は前記生成されたＮ個の複素サンプルそれぞれに対して実数成分の自乗及び虚数成分の自乗を合わせて複素サンプルの大きさ値を算出する。
【０３２２】
特に、本発明の一実施例によると、算出されたＮ個の値の中で最初の値は捨てて残りＮ−１個の値のみを結合器６５６に提供する。
【０３２３】
図２７は図２６のコード相関度算出部（６６５−Ａ、６６５−Ｂ）の出力を例示するグラフである。
【０３２４】
横軸は２次同期チャンネルシーケンス（ＧＣＬシーケンス）の番号であり、縦軸は現在受信された２次同期チャンネルシンボルとそれぞれの（つまり、Ｎ−１個の）同期チャンネルシーケンス（ＧＣＬシーケンス）との相関度値を示す。
【０３２５】
特に、図２７は現在受信された２次同期チャンネルシンボルが含む跳躍コードワードエレメントインデックスｋが２である場合のコード相関度算出部（６６５−Ａ、６６５−Ｂ）の出力を示す。
【０３２６】
図２７を参照すると、ｋが２である場合の相関度値が最も大きいことが分かり、特に、チャンネル歪曲またはノイズがなければｋが２である場合を除く残り跳躍コードインデックス位置での相関度値は図２７とは異なって「０」の値を有する。
【０３２７】
一方、図２７は受信アンテナ２個を備えた方法などで受信ダイバーシティを移動局が適用する場合を前提に示す図面で、結合器６５６は受信ダイバーシティによる各経路別に獲得されたコード相関度算出部（６６５−Ａ、６６５−Ｂ）の出力を結合する。受信ダイバーシティを使用しない場合、結合器６５６及び下端のコード相関度算出部６６５−Ｂは省略してもよい。
【０３２８】
跳躍コードワード識別子は図２のサブグループ識別子と一対一対応し、サイクリックシフトインデックスは１０ｍｓｅｃフレーム境界が跳躍コード検出部６４０で使用された基準点（６４１または６４７）からシンクブロック長さ単位でどれほど離れているかを示す。
【０３２９】
結局、セル探索１段階で獲得した同期情報（６４１または６４７）及び前記サイクリックシフトインデックスから１０ｍｓｅｃフレーム境界を獲得することができる。
【０３３０】
図２８は図２６の相関度バッファー６５７に貯蔵されたＰ×（Ｎ−１）個の相関度値を例示し、Ｐ＝５でＮ＝４１であることを前提にして示した図面である。横軸は２次同期チャンネルシーケンス番号であり、縦軸は受信同期チャンネルシンボルに対するそれぞれの同期チャンネルシーケンスとの相関度値を示す。
【０３３１】
参照番号６６２−Ａは最初の同期チャンネルシンボル、つまり、ｐ＝０である場合に対して４０個の同期チャンネルシーケンスとの相関度を示し、参照番号６６２−Ｂ、参照番号６６２−Ｃ、参照番号６６２−Ｄ及び参照番号６６２−Ｅはそれぞれｐ＝１、２、３、４に相当する受信同期チャンネルシンボルそれぞれに対して算出された４０個の相関度値である。
【０３３２】
つまり、最上部４０個のサンプル６６２−Ａは図２３の第１番目ＯＦＤＭシンボル６４２−Ａあるいは図２４の最初の２次同期チャンネルシンボル６４４−Ａに対する結合器６５６の出力であり、第２番目４０個のサンプル６６２−Ｂは第２番目ＯＦＤＭシンボル（６４２−Ｂ、６４４−Ｂ）に対する結合器５６５の出力であり、第３番目４０個のサンプル６６２−Ｃは第３番目ＯＦＤＭシンボル（６４２−Ｃ、６４４−Ｃ）に対する結合器５６５の出力である。第４番目４０個のサンプル６６２−Ｄ及び第５番目４０個のサンプル６６２−Ｅも同様に説明される。
【０３３３】
コードワード検出部６５８は全ＮH×Ｐ個の決定変数（ｄｅｃｉｓｉｏｎ ｖａｒ ｉａｂｌｅ）を算出し、このうち最大値を有する決定変数を選択して前記選択された決定変数に対する情報を境界検出部６４９及びサブグループ検出部６４８に提供する。ここで、ＮHは１つのセルグループに属した跳躍コードワードの個数で、図１から図４の本発明のコード割り当て方法１から４の例では１６になり、図５Ａ及び図５の本発明のコード割り当て方法５あるいは６の場合には１２８になる。
【０３３４】
つまり、前記コードワード検出部６５８は同期及びグループ検出部６２０から受けたセルグループ識別子情報Ｓ６に属するＮH個の跳躍コードワードに対してのみテストを行う。
【０３３５】
例えば、移動局が図１のような本発明のコード割り当て方法１が使用されるセルラーシステムにある移動局であると仮定した時、セル探索１段階で前記同期及びグループ検出部６２０が検出したセルグループ識別子が２番である場合、前記コードワード検出部６５８は２番セルグループに属する跳躍コードワード、つまり、識別子が３２、３３、３４、…、４５、４６、４７である跳躍コードワードに対してのみ仮説検定（ｈｙｐｏｔｈｅｓｉｓ）テストを行う。
【０３３６】
前記境界検出部６４９及びサブグループ検出部６４８は前記仮説検定テスト結果に基づいてそれぞれフレーム境界Ｓ７及びセルサブグループＳ８を検出する。
【０３３７】
もし、セルラーシステムが本発明のコード割り当て方法１（図１）あるいはコード割り当て方法３（図３）またはコード割り当て方法５（図５−ａ）またはコード割り当て方法６（図５−ｂ）を使用するシステムである場合、前記コードワード検出部６５８の仮説検定テストのための本発明の好ましい一実施例である決定変数ｗ（ｉ）は数式８に例示される。
【０３３８】
【数８】
2009545226.tif 000012
【０３３９】
ここで、ｍｏｄはモジュラ（ｍｏｄｕｌａｒ）演算子であり、[ｘ]はｘより小さいか同じ整数のうちの最大値を示す。ｋgはセルグループ番号１０を示し、ＮHはセルグループ内跳躍コードワード個数を示す。
【０３４０】
また、Ｐは跳躍コードワードの長さまたは１０ｍｓｅｃフレーム当たり同期チャンネルシンボル数を示し、図１及び表１によるとＰ＝５である。ｈx（ｙ）はインデックスｘである跳躍コードワードのｙ番目エレメントのインデックス値を示す。例えば、ｘ＝０でｙ＝２である場合のｈ0（２）は表１を参照すると６である。
【０３４１】
数式８でｖu（ｋ）はｕ番目ＯＦＤＭシンボル位置に対するインデックスｋである同期チャンネルシーケンスの相関度値で、相関度バッファー６５７に貯蔵された値である。数式７は表１の跳躍コードの中で前記セルグループ番号に相当する跳躍コードワード及びそのサイクリックシフトされたコードワードそれぞれに対する決定変数である。
【０３４２】
つまり、インデックス０である跳躍コードワード４、５、６、７、８に対する決定変数はｗ（０）になり、インデックス０である跳躍コードワードの「１」サイクリックシフトされたコードワードイである８、４、５、６、７に対する決定変数はｗ（１）になり、インデックスｉの跳躍コードワードである「ｕ」サイクリックシフトされたコードワードの決定変数は結局ｗ（ｉ×Ｐ＋ｕ）になる。
【０３４３】
図２８及び表１を参照してｗ（ｉ）が算出される過程を具体的に説明する。まず、本発明のコード割り当て方法１（図１参照）が適用されたセルラーシステムを仮定する。セル探索１段階で同期及びグループ検出部６２０で検出されたセルグループ番号がである時、前記コードワード検出部６５８はセルグループ番号０に相当する１６個の跳躍コードワード及びそのサイクリックシフトされたコードワードに対する前記決定変数、つまり、ｗ（０、ｗ１、…、ｗ（５×１６−１）を計算する。
【０３４４】
ｗ（０）は跳躍コードワードの識別子が０であり、サイクリックシフトインデックスが０であるコードワードイン４、５、６、７、８に対する決定変数でｗ（０）＝０．９＋１．９＋１．６＋１．７＋１．７＝７．８になり、ｗ（２）は跳躍コードワードの識別子が０であり、サイクリックシフトインデックス２のコードワードイン７、８、４、５、６に対する決定変数としてｗ（２）＝１０．２＋８．３＋９．４＋９．１＋８．９＝４５．９となる。
【０３４５】
このような過程を経てｗ（０）、ｗ（１）、…、ｗ（５×１６−１）が算出され、このうちｗ（２）が最も大きい値を有すると、コードワード検出部６５８は跳躍コードワード識別子＝０、サイクリックシフトインデックス＝２に最終的に決め、このような決定結果によってフレーム境界及びコードグループを検出する。
【０３４６】
つまり、コードワード検出部６５８はｗ（ｋg×ＮH*Ｐ）、ｗ（ｋg×ＮH*Ｐ＋１）、…、ｗ（（ｋg＋１）×ＮH×Ｐ−１）と言うＰ×ＮH個の決定変数の中で最大値を有する決定変数のインデックスをｉmax、つまり、
【０３４７】
【数９】
2009545226.tif 000013
【０３４８】
とした時、跳躍コードワードのインデックス及びサイクリックシフトインデックスはそれぞれ
【０３４９】
【数１０】
2009545226.tif 000014
【０３５０】
に算出される。跳躍コードワードとセルサブグループは一対一対応するので、跳躍コードワードのインデックスからセルサブグループが検出され、サイクリックシフトインデックスからフレーム境界を検出することができる。
【０３５１】
本発明の一実施例によると、コードワード検出部６５８が境界検出部６４９及びコードグループ検出部６４８に提供する決定変数情報はｉmaxである。境界検出部６４９は提供されたｉmaxに
【０３５２】
【数１１】
2009545226.tif 000015
【０３５３】
のようなモジュラ演算を行ってサイクリックシフトインデックスを検出し、これに基づいてフレーム境界を検出する。サブグループ検出部６４８は提供されたｉmaxに
【０３５４】
【数１２】
2009545226.tif 000016
【０３５５】
演算を行って跳躍コードワードのインデックスを獲得し、前記獲得された跳躍コードワードインデックスに該当するセルサブグループを検出する。
【０３５６】
前述のように、セルサブグループそれぞれがスクランブリングコード１つのみを含む場合には、跳躍コードワードとセル識別子間に一対一対応関係が成立してコードワード検出部６５８は前記検出されたサブグループ自体からスクランブリングコードを検出することができる。
【０３５７】
したがって、この場合にはセル探索３段階を省略することができ、またはセル探索３段階はセル探索２段階で検出されたスクランブリングコードの検証（ｖｅｒｉｆｉｃａｔｉｏｎ）用途としてのみ使用することができる。
【０３５８】
もし、セルラーシステムが本発明のコード割り当て方法２（図２）あるいはコード割り当て方法４（図４）を使用するシステムである場合、前記コードワード検出部６５８の仮説検定テストのための本発明の好ましい一実施例である決定変数ｗ（ｉ）は数式９のように例示される。
【０３５９】
【数１３】
2009545226.tif 000017
【０３６０】
前記数式９と数式８の差異点は、数式８の場合はそれぞれのセルサブグループに含まれる跳躍コードワードがセルグループ別に異なるが、これに反して数式９の場合にはセルグループ別に同一な跳躍コードワードが使用されることである。
【０３６１】
結局、図２あるいは図４の本発明のコード割り当て方法２あるいは４の場合にサブグループ検出部６４８で前記数式９で与えられる決定変数のうちの最大値の
【０３６２】
【数１４】
2009545226.tif 000018
【０３６３】
演算によって得られる値と同期及びグループ検出部から受けたセルグループ識別子Ｓ６を全て利用してセルサブグループ番号を獲得することができる。
【０３６４】
反面、１０ｍｓｅｃフレーム境界は前記例と同一に
【０３６５】
【数１５】
2009545226.tif 000019
【０３６６】
演算によって得られたサイクリックシフト値を利用して得る。
【０３６７】
一方、セル識別子検出部６８０はセル探索２段階で獲得されたフレーム情報に基づいてセル識別子を検出する。つまり、セル識別子検出部６８０は前記検出されたフレーム境界に基づいて共通パイロットチャンネルシンボルの位置、つまり、共通パイロットチャンネルシンボル区間を獲得することができ、前記獲得された位置に基づいて共通パイロットチャンネルシンボルとセル探索２段階で検出されたサブグループに属する可能なセル識別子に該当するスクランブリングコードをパイロット相関して最終的にターゲットセルのセル識別子を検出することができる。
【０３６８】
一方、それぞれの共通パイロットチャンネルシンボルは他のＯＦＤＭシンボルと同様にＮＴのサンプルで構成され、ＮCPサンプルであるサイクリック接頭語区間とＮSサンプルである残り区間を含む。
【０３６９】
言い換えると、セル識別子検出部６８０はセル探索２段階で獲得されたフレームタイミング（境界）情報に基づいて受信されたサブフレームに含まれた共通パイロットチャンネルシンボルを抽出し、前記抽出された共通パイロットチャンネルシンボルとセル探索２段階で検出されたサブコードに属するスクランブリングコードとの相関度値を算出し、前記算出された相関度値のうちの最も大きい値を有する相関度値に該当するスクランブリングコードを現在基地局のスクランブリングコードとして決める。
【０３７０】
つまり、共通パイロットチャンネルは順方向リンクのデータチャンネルのコヒーレント復調のためのチャンネル推定用として使用されるだけでなく、本発明のセル探索３段階でスクランブリングコード（スクランブリングコードとセル識別子は一対一対応する）を検出するのにも使用される。
【０３７１】
セル識別子検出部６８０はコードワード検出部６４０から提供されたサブグループに属するスクランブリングコードのみ検索することで受信機の複雑度を減少させることができる。つまり、図１の例でセル探索１段階で検出されたセルグループ内のセル探索２段階で検出されたサブグループに属するＮc個のスクランブリングコードのみ検索すればよい。ここで、Ｎcはサブグループ当りスクランブリングコードの個数であり、図１の例でＮc＝４になる。
【０３７２】
図２９は図２０のセル識別子検出部６８０の具体的な構成を例示するブロック図で、周波数オフセット補正器（６８１−Ａ、６８１−Ｂ）、フーリエ変換器（６８２−Ａ、６８２−Ｂ）、パイロットシンボル抽出機（６８３−Ａ、６８３−Ｂ）、パイロット相関器（６８４−Ａ、６８４−Ｂ）、累積器（６８６−Ａ、６８６−Ｂ）、結合器６８７及びピーク検出器６８８を含んで構成される。
【０３７３】
周波数オフセット補正器（６８１−Ａ、６８１−Ｂ）は跳躍コード検出部６４０から提供された１０ｍｓｅｃフレームタイミング（境界）情報Ｓ８に基づいて各サブフレーム別共通パイロットチャンネルシンボル区間が分かるので、前記下向変換されたＯＦＤＭシンボル（Ｓ１、Ｓ２）に含まれた共通パイロットチャンネルシンボルに対してサイクリック接頭語を除いたＮS個のサンプルを数式６を利用して周波数オフセット補正する。ここで、周波数オフセット補正に使用される周波数オフセット推定値は跳躍コード検出部６４０から提供された周波数オフセット推定値Ｓ１０を利用することができる。
【０３７４】
フーリエ変換器（６８２−Ａ、６８２−Ｂ）は周波数オフセット補正されたＮS個のサンプルをフーリエ変換して周波数領域信号を生成する。
【０３７５】
パイロットシンボル抽出機（６８３−Ａ、６８３−Ｂ）は前記生成された周波数領域信号からＮｐ個のパイロットデータのみ抽出する。
【０３７６】
パイロット相関器（６８４−Ａ、６８４−Ｂ）は前記抽出されたＮp個のパイロットデータを前記跳躍コード検出部６４０から提供されたコードグループに属するＮｃ個のスクランブリングコードとの相関度をそれぞれ算出する。
【０３７７】
ここで、相関度算出式の例は数式９乃至数式１２があり、パイロット相関器（６８４−Ａ、６８４−Ｂ）は図２９を参照するとそれぞれＮｃ個の周波数差等相関器（ｆｒｅｑｕｅｎｃｙ ｄｏｍａｉｎ ｄｉｆｆｅｒｅｎｔｉａｌ ｃｏｒｒｅｌａｔｏｒ）を含んで並列方式で周波数領域差等相関演算を行う。
【０３７８】
つまり、それぞれの周波数差等相関器は前記検出されたコードグループに属するスクランブリングコードと前記抽出されたパイロットデータとの相関度をそれぞれ算出する。周波数領域差等相関器は毎サブフレームの共通パイロットチャンネルシンボル区間で作動し、差等相関器の出力は前記検出されたコードグループ内Ｎｃ個のスクランブリングコード別に累積器（６８６−Ａ、６８６−Ｂ）に含まれたそれぞれのサブフレーム累積器に累積される。数式９乃至数式１２については後述する。
【０３７９】
累積器（６８６−Ａ、６８６−Ｂ）は各共通パイロットチャンネルシンボルに対して算出されるＮｃ個の相関度値を累積する。図８あるいは図１０、図１４を参照すると、サブフレーム当り少なくとも１つの共通パイロットチャンネルシンボルがあるので、既に設定されたサブフレーム個数だけ累積する。各累積器（６８６−Ａ、６８６−Ｂ）はＮc個のサブフレーム累積器を備える。
【０３８０】
結合器６８７は複数個の受信アンテナを備える方法などで実現される受信ダイバーシティによって獲得される複数個の経路によって算出される累積器（６８６−Ａ、６８６−Ｂ）出力を結合（ｃｏｍｂｉｎｉｎｇ）してＮc個の決定変数を生成する。一方、受信ダイバーシティを使用しない場合には結合器６８７及び下端のブロックは省略できることはこの分野に務める者には自明な事実である。
【０３８１】
ピーク検出器６８８は結合器６８７から提供されるＮc個の決定変数の中で最大値を有する決定変数を検出し、前記検出された決定変数に該当するスクランブリングコードを選択して最終的に現基地局のスクランブリングコードまたはセル識別子Ｓ９を検出する。
【０３８２】
このような過程で移動局は無線局間隔（ｒａｄｉｏ ｄｉｓｔａｎｃｅ）が最も短い基地局または受信信号の強度が最も大きい基地局のスクランブリングコード（セル識別子）を検出することができる。
【０３８３】
一方、前記検出された最大値が既に設定された臨界値より大きい場合にはセル探索を完了したことと仮定し、前記臨界値より小さい場合には本発明の一実施例によるセル探索器はセル探索１段階、２段階、３段階の過程を繰り返すことができる。
【０３８４】
一方、各サブグループが１つのセル識別子またはスクランブリングコードのみを含む場合、つまり、Ｎｃが１である場合にサブグループ識別子はセル識別子と一対一対応するので、セル探索２段階まで行っても本発明の目的であるフレーム境界及びセル識別子が検出できるためにセル探索３段階は省略することができるが、もしセル探索３段階がおコン割れる場合にはセル探索２段階によって検出されたセル識別子の検証過程役割を果たす。
【０３８５】
以下、パイロット相関器（６８４−Ａ、６８４−Ｂ）の動作を具体的に説明する。
【０３８６】
図３０は本発明の一実施例によるパイロット相関器（６８４−Ａ、６８４−Ｂ）の動作を説明するための図面である。
【０３８７】
参照番号６９５及び参照番号６９６はそれぞれパイロットシンボル抽出機（６８３−Ａ、６８３−Ｂ）の入力及び出力を示す。つまり、周波数領域信号６９６にはパイロットデータだけでなくトラフィックデータも共存することができるが、パイロットシンボル抽出機（６８３−Ａ、６８３−Ｂ）はこれらのうちのパイロットデータＮｐ個を抽出する。
【０３８８】
図３０でＸ（ｎ）は共通パイロットチャンネルシンボルの周波数領域データらのうちのｎ番目パイロットデータを意味する。特に、図３０では共通パイロットチャンネルシンボルがＮp個のパイロットデータを含む場合を例示する。
【０３８９】
抽出されたパイロットデータとスクランブリングコードとの相関方法は数式１０乃至数式１３で例示される。
【０３９０】
【数１６】
2009545226.tif 000020
【０３９１】
Ｎpは共通パイロットチャンネルシンボルが含む周波数領域上のパイロットデータ個数であり、ｃgk（ｕ）は前記検出されたコードグループに属するスクランブリングコードのうちのｋ番目スクランブリングコードのｕ番目エレメントを示す。
【０３９２】
本発明のセル探索３段階で数式９で与えられる差等相関を使用する理由は次の通りである。ＯＦＤＭ信号方式の場合、周波数領域で隣接したシンボルはほとんど同一な無線フェーディングを経験する。
【０３９３】
つまり、隣接シンボルが経験するチャンネル歪曲がよく似ている。しかし、遠く離れているシンボル間で経験する無線フェーディングは周波数領域シンボル間間隔が大きいほど互いに独立的なフェーディングを経験する。この場合、数式１３で定義される従来の周波数領域相関器は相関長さＮが大きい場合、性能が非常に低下する。
【０３９４】
【数１７】
2009545226.tif 000021
【０３９５】
つまり、数式１１でＸ（ｉ）＝αiｃ（ｉ）であるので、結局前記式は
【０３９６】
【数１８】
2009545226.tif 000022
【０３９７】
になって遠く離れた独立的なシンボルＸ（）間にコヒーレントに加えられ、フェーディングチャンネルでの性能が非常に減少する。ここで、αiはｉ番目副搬送波のチャンネル値を示し、フェーディングチャンネルでの隣接した副搬送波間の値はほとんど同一であるが、遠く離れた副搬送波間には互いに異なる値を有する特性がある。
【０３９８】
これに反し、数式１２で定義される差等相関器を使用する場合、
【０３９９】
【数１９】
2009545226.tif 000023
【０４００】
相関度結果値は
【０４０１】
【数２０】
2009545226.tif 000024
【０４０２】
になって数式１０で定義される従来の相関器より性能が改善される長所がある。
【０４０３】
本発明のセル探索３段階で数式１０のように直ちに隣接したシンボル間差等積（ｄｉｆｆｅｒｅｎｔｉａｌ ｍｕｌｔｉｐｌｉｃａｔｉｏｎ）を使用する代わりに、数式１０または図３０の参照番号６９７のように一段階スキップしたパイロットシンボル間に差等積を使用する理由は、移動局が初期同期獲得モードでは移動局が属した現基地局情報が分からないためである。つまり、移動局は現基地局で使用する送信アンテナ数が１個であるか２個であるかが分からないためである。
【０４０４】
送信アンテナが１個である場合には図２９の全ての共通パイロットチャンネルシンボル６９６が同一な送信アンテナを通じて伝送されるが、送信アンテナが２個である場合には偶数番目共通パイロットチャンネルシンボル（つまり、Ｘ（０）、Ｘ（２）、…）は第１送信アンテナに伝送され、奇数番目共通パイロットチャンネルシンボルは第２送信アンテナに伝送される。
【０４０５】
この場合、つまり、送信アンテナが２つである場合、直ちに周波数領域で隣接した２つの共通パイロットチャンネルシンボルの周波数領域上隣接するデータは完全に独立的なフェーディングが行われる。
【０４０６】
この場合、受信端で数式１１のように直ちに隣接したシンボル間差等積を行う場合、検出性能が低下することがある。これに反し、図３０の参照番号６９７のように例示されたように本発明の一実施例による差等相関を行う場合、つまり、偶数番目シンボルは偶数番目シンボル間差等積６９７−Ａを行い、奇数番目シンボルは奇数番目シンボル間に差等積６９７−Ｂを行う場合、基地局の送信アンテナが１個であるか２個であるかに問題なく長いＰＮスクランブリングコード識別子が検出できると言う長所がある。
【０４０７】
複雑度を減らすために数式１０を数式１３のように奇数番目データは無視して偶数番目データのみ利用することもできる。
【０４０８】
【数２１】
2009545226.tif 000025
【０４０９】
以上、移動局に電源が印加された時、移動局が行う初期セル探索に関して記述し、以下では隣接セル探索過程を記述する。
【０４１０】
セルラーシステムでセル探索は前述のように移動局に電源が印加された時に行う初期セル探索と初期セル探索を完了した後、遊休モード（ｉｄｌｅ ｍｏｄｅ）または通話モード（ａｃｔｉｖｅ ｍｏｄｅまたはｃｏｎｎｅｃｔｅｄ ｍｏｄｅ）でハンドオフなどを行うために信号強さの大きい隣接セルのフレームタイミング及びセル識別子を検出する隣接セル探索がある。
【０４１１】
遊休モードまたは通話モードで移動局のクロック発生器５４０の誤差はほとんど０に近い。それはホームセルから受信した信号を利用して持続的に周波数オフセットを推定することができるためである。したがって、隣接セルを探索する時にセル探索２段階及び３段階で周波数オフセット補正をする必要がない。
【０４１２】
ＷＣＤＭＡ方式の場合、全ての基地局の１０ｍｓｅｃフレームタイミングは独立的である。つまり、ＷＣＤＭＡ方式は基地国間非同期である非同期セルラーシステムである。反面、ＩＳ−９５またはＣＤＭＡ２０００方式は全ての基地局がＧＰＳに同期を合わせて動作する同期式セルラーシステムである。
【０４１３】
ＯＦＤＭシステムの場合に順方向リンクで基本的にＯＦＤＭ方式を使用し、この場合、２種類サービスが存在する。つまり、ＭＢＭＳサービスとユニキャストサービスが存在する。
【０４１４】
ユニキャストサービスの場合、隣接セル間非同期で動作してもよいが、ＭＢＭＳサービスの場合には必ずセル間同期式で動作しなければならない。この場合、つまり、基地局同期式である場合、セル境界で隣接したセルから受信される信号のＯＦＤＭシンボル間のタイミング差はサイクリック接頭語区間より小さくなる。このような条件を満足しなければ隣接した基地局から受信される信号の副搬送波間に直交性（ｏｒｔｈｏｇｏｎａｌｉｔｙ）が維持されないためである。
【０４１５】
ＯＦＤＭシステムは前述のように事業者に応じて全てのセルが同期式で動作することもでき、あるいは同期式と非同期式が混在することもできる。
【０４１６】
もし、ＯＦＤＭセルラーシステム全ての基地局が基地局同期モードで動作する場合、隣接セル探索時に１段階探索は省略されてもよい。つまり、隣接セルから受信される信号の１０ｍｓｅｃフレーム境界はホームセルのフレーム境界とサイクリック接頭語以内の誤差範囲にあるために同期獲得部６２０を駆動させる理由はない。これに反し、跳躍コード検出部６４０及びセル識別子検出部６８０は駆動させなければならない。
【０４１７】
したがって、移動局は現在移動局が属したセルラーシステムの全ての基地局が同期式で動作するかどうかが分かるとセル探索をすることが容易になる。したがって、本発明の方法の基地局は順方向リンクの放送チャンネルあるいは制御チャンネルを通じて現在のセルラーシステムの全ての基地局が同期モードで動作するかどうかをセル内全ての移動局に伝送する。
【０４１８】
例えば、放送チャンネルメッセージの部分に「システム同期識別子」として１ビットをおいて、この値が１であれば現在セルラーシステム内全ての基地局が同期モードで動作し、反面この値が０である場合には現在セルラーシステムの一部基地局は非同期モードで動作することを移動局に知らせる。この値が０である場合にもＭＢＭＳサービスのために同期モードで動作する基地局が存在することがある（つまり、同期基地局と非同期基地局が混在することができる）。
【０４１９】
前記システム同期識別子が０である場合と１である場合に移動局のセル探索アルゴリズムが変わり得る。前記で言及したようにシステム同期識別子が１である場合、つまり、全ての基地局が同期モードで動作した場合にセル探索１段階は必要ないこともある。
【０４２０】
反面、システム同期識別子が０である場合、現在移動局が属したホームセル（Ｈｏｍｅ ｃｅｌｌまたはＳｅｒｖｉｎｇ ｃｅｌｌ）が非同期モードで動作することもでき、ホームセルが同期モードで隣接したセルの中で非同期モードで動作するセルがあり得るためにセル探索は初期同期獲得の時のように１段階を含んで全ての段階が必要になることもある。
【０４２１】
ホームセルと隣接セルが同期モードで動作するかどうかが分かる他の方法はセルラーシステムの各基地局は自分が同期モードで動作するかどうか、つまり、「ホームセル同期モード識別子」と隣接基地局が同期モードで動作するかどうか、つまり、「隣接セル同期モード識別子」を前記放送チャンネルあるいは制御チャンネルを通じてセル内移動局に伝送する方法がある。
【０４２２】
前記ホームセル同期モード識別子は１個のみあればよいが、前記隣接セル識別子は現基地局の周囲にある複数のセルに対する情報を移動局に与えなければならないために複数個がなければならない。移動局は前記ホームセル同期モード識別子及び隣接セル同期モード識別子を利用すると同期モードで動作するセルと非同期モードで動作するセルが混在するシステムで隣接セル探索を効率的に行うことができる。
【０４２３】
セルラーシステムで途絶えないハンドオーバーを支援するために移動局は隣接した基地局の受信信号電力がホームセルの受信信号電力より同一であるか小さい場合にも隣接セル探索が可能でなければならない。つまり、移動局は遊休モード及び通話モードで継続して隣接セルの信号大きさを測定して基地局に報告しなければならない。
【０４２４】
この場合、隣接した２つの基地局が同期モードで動作する場合、ホームセルから受信した同期チャンネル信号と隣接した基地局から受信した同期チャンネル信号は時間領域で重なって入ってくるために初期セル探索過程で使ったセル探索２段階をそのまま使用する場合には性能が低下することがある。
【０４２５】
移動局は前記で言及したようにシステム同期識別子またはホームセル同期モード識別子と隣接セルの同期モード識別子からホームセルと隣接セルが同期で動作するかどうかが 分かる。
【０４２６】
このような問題を解決する本発明の移動局の隣接セル探索方法はセル探索２段階で図２６の結合器６５６後端にホームセル成分除去ブロックを挿入することで解決される。
【０４２７】
図３１は本発明の他の一実施例による跳躍コード検出部６４０の具体的な構成を例示するブロック図で、図２６に開示された構成の他にホームセル成分除去部８３０をさらに含んで行われる。
【０４２８】
ホームセル成分除去部８３０は結合器６５６の出力中にホームセル成分を除去する。つまり、ホームセルに該当する同期チャンネルシーケンスに対する相関度値を所定数に代替するが、ここで、所定数の例としては「０」がある。移動局は現在ホームセルの跳躍コードワードを知っているために上述したホームセル成分を除去することができる。
【０４２９】
図３２Ａ及び図３２Ｂはホームセル成分除去部８３０の動作を説明するための図面である。
【０４３０】
図３２Ａはホームセル成分除去部８３０の入力に該当する。つまり、５個の受信同期チャンネルシンボルそれぞれに対してシステムで使用される全ての同期チャンネルシーケンスとの相関度結果を示す。図３２Ａはホームセルの跳躍コードワードが{４、５、６、７、８}である場合である。この場合、ホームセル成分除去部８３０は{４、５、６、７、８}に該当する相関度値を小さい値、例えば０に代替する。
【０４３１】
図３２Ｂはホームセル成分除去部８３０の出力に該当する。ホームセル成分である４、５、６、７、８に該当する相関度値が０で代替されたことが分かる。したがって、コードワード検出部６５８はホームセルの跳躍コードワードを除いた残り跳躍コードワードのうちの１あるいはそれ以上を検出し、隣接セルを探索する時に前記ホームセル成分の影響を最少化して隣接セル探索性能を高めることができる。
【０４３２】
一方、少なくともホーム基地局と隣接基地局が同期モードで動作する場合、隣接セル探索過程で本発明の一実施例によるコードワード検出部６５８は隣接セルのサイクリックシフトインデックスは検出する必要がない。前述のようにホーム基地局と隣接基地局が１０ｍｓｅｃフレーム同期が合わせられて隣接セルのフレームタイミングはホームセルのフレームタイミングと同一であるためである。
【０４３３】
隣接セルを探索する時に３段階は周波数オフセットを補正しないことを除いては基本的に初期セル探索の方法と同様な方法を使用する。もちろん、サブグループとセル識別子が一対一対応する本発明のコード割り当て方法３（図３）、４（図４）、６（図５Ｂ）である場合にはセル探索３段階が必要でないこともある。
【０４３４】
一方、基地局同期モードで動作するセルラーシステムで移動局の遊休状態でホームセルの信号の周波数追跡あるいは精密時間追跡または隣接セル探索時の本発明の一実施例による移動局は電力使用量を最少化するために現セルの１０ｍｓｅｃフレーム境界１５０に同期が合わせられた１０ｍｓｅｃフレームクロックを含む基本的なクロック発生器を除いて、下向変換器を含む受信機の動作を図３３のように巨視的ＤＲＸモード９５０と微視的ＤＲＸモード９６０の２段階でＯｎ/ＯＦＦさせる２段階ＤＲＸモードを導入することができる。
【０４３５】
図３３は本発明の一実施例による遊休モードで隣接セル探索時の移動局のゲーティングモードを説明するための図面である。まず、移動局は基地局からシステムパラメターを受けて巨視的 ＤＲＸモードの周期を設定した後、巨視的 ＤＲＸモードがＯＮになった状態９５２のみでホームセルから受信されるＰａｇｉｎｇチャンネルを復調するためにホームセルの信号の周波数追跡あるいは精密時間追跡を同期チャンネル及び共通パイロットチャンネルを利用して行ったり、それでなければホームセルの信号成分が低い場合に同様に同期チャンネル及び共通パイロットチャンネルを利用して隣接セルを探索する。
【０４３６】
しかし、巨視的ＤＲＸモードがＯＮ９５２になった状態でも移動局のバッテリ消耗量をさらに減らすために図３３のように微視的ＤＲＸモード９６０をさらに置く。つまり、巨視的ＤＲＸのＯＮ区間９００でのみ前記周波数追跡、時間追跡あるいは隣接セルを探索し、巨視的ＤＲＸのＯＦＦ区間９０１では隣接セル探索及びその他の下向変換などの受信端の受信動作を行わない。
【０４３７】
つまり、同期チャンネルシンボル及び共通パイロットチャンネルを含む所定区間９００でのみ受信機をＯＮにし、その他の区間ではＯＦＦにして受信機がＯＮされた区間でのみ受信された信号を利用して上述したセル探索器を駆動させる方法であって、移動局はこのような方法を利用すると巨視的ＤＲＸモードのみ利用した場合よりバッテリ消耗量をさらに減少できる。
【０４３８】
本発明はまたコンピュータで読み込み得る記録媒体にコンピュータが読み込み得るコードとして実現することが可能である。コンピュータが読み込み得る記録媒体はコンピュータシステムによって読まれるデータが貯蔵される全ての種類の記録装置を含む。コンピュータが読み込み得る記録媒体の例としては、ＲＯＭ、ＲＡＭ、ＣＤ−ＲＯＭ、磁気テープ、フロッピー（登録商標）ディスク、光データ貯蔵装置などがあり、またキャリアウェーブ（例えばインターネットを通じた伝送）の形態で実現されることも含む。また、コンピュータが読み込む記録媒体はネットワークで連結されたコンピュータシステムに分散された分散方式でコンピュータが読み込み得るコードが貯蔵されて実行され得る。
【０４３９】
以上のように図面と明細書で最適実施例を開示した。ここで、特定用語が使用されたが、これは単に本発明を説明するための目的として使用され、意味限定や特許請求の範囲に記載された本発明の範囲を制限するために使用されたことではない。したがって、本技術分野の通常の知識を有する者であれば、これから多様な変形及び均等な他の実施例が可能であることが理解できる。したがって、本発明の真の技術的保護範囲は添付された特許請求の範囲の技術的な思想によって決めるべきである。
【図面の簡単な説明】
【０４４０】
【図１】本発明の一実施例によるセルラーシステムのコード割り当て方法１を示す図である。
【図２】本発明の一実施例によるセルラーシステムのコード割り当て方法２を示す図である。
【図３】本発明の一実施例によるセルラーシステムのコード割り当て方法３を示す図である。
【図４】本発明の一実施例によるセルラーシステムのコード割り当て方法４を示す図である。
【図５Ａ】本発明の一実施例によるセルラーシステムのコード割り当て方法５を示す図である。
【図５Ｂ】本発明の一実施例によるセルラーシステムのコード割り当て方法６を示す図である。
【図６】本発明の一実施例によるセルラーシステムのコード割り当て方法７を示す図である。
【図７】本発明のコード割り当て方法１に対してセル識別子を各セルに割り当てる方法の一例を示す図である。
【図８】本発明の１次同期チャンネルと２次同期チャンネルがＦＤＭで構成されている順方向リンクフレーム構造の一例を示す図である。
【図９】本発明の１次同期チャンネルと２次同期チャンネルがＦＤＭで構成されている順方向リンクサブフレーム構造の一例を示す図である。
【図１０】本発明の１次同期チャンネルと２次同期チャンネルがＴＤＭで構成されている順方向リンクフレーム構造の一例を示す図である。
【図１１】本発明の１次同期チャンネルと２次同期チャンネルがＴＤＭで構成されている順方向リンクサブフレーム構造の一例を示す図である。
【図１２Ａ】長い（Ｌｏｎｇ）ＣＰと短い（Ｓｈｏｒｔ）ＣＰを有するＯＦＤＭシンボル構造を示す図である。
【図１２Ｂ】長い（Ｌｏｎｇ）ＣＰと短い（Ｓｈｏｒｔ）ＣＰを有するＯＦＤＭシンボル構造を示す図である。
【図１３Ａ】１次同期チャンネルと２次同期チャンネルがＴＤＭで構成されている時、２つのチャンネルが同じサブフレームに存在する場合に長いＣＰと短いＣＰによって１次同期チャンネルの位置が変わる現象を説明するための概念図である。
【図１３Ｂ】１次同期チャンネルと２次同期チャンネルがＴＤＭで構成されている時、２つのチャンネルが同じサブフレームに存在する場合に長いＣＰと短いＣＰによって１次同期チャンネルの位置が変わる現象を説明するための概念図である。
【図１４】本発明の１次同期チャンネルはサブフレームの最後方に位置し、２次同期チャンネルはその次のサブフレームの最前方に位置する本発明の順方向リンクフレーム構造の一例を示す図である。
【図１５】１次同期チャンネルと２次同期チャンネルがサブフレーム境界を基準にＴＤＭに位置した時、２次同期チャンネル位置に依然としてタイミング不明瞭性問題があることを例示する概念図である。
【図１６】１次同期チャンネルがサブフレームの最後方に位置し、２次同期チャンネルがその次のサブフレームの最前方に位置した時、図１５Ａ乃至１５Ｄの問題を解決することができる本発明の方法を説明するための例示図である。
【図１７】本発明の１次同期チャンネル及び２次同期チャンネル割り当て方法において２次同期チャンネルがセル共通パイロットシンボルとＦＤＭで構成される概念を説明するための例示図である。
【図１８】システム帯域幅が１．２５ＭＨｚから２０ＭＨｚまで測定可能な帯域幅を支援する時、同期チャンネルの占有帯域を示す概念図である。
【図１９】送信アンテナが２つである場合、時間スイッチングダイバーシティを導入する本発明の基地局送信機の概念図である。
【図２０】本発明の移動局受信機及びセル探索部の概念図である。
【図２１】図２０のセル探索部の同期及びグループ検出部を詳しく説明するための例示図である。
【図２２】図２１の同期及びグループ検出部の作用を説明するための概念図である。
【図２３】１次同期チャンネルと２次同期チャンネルがＦＤＭで構成されている時、図２０の跳躍コード検出部の入力信号を説明するための概念図である。
【図２４】１次同期チャンネルと２次同期チャンネルがＴＤＭで構成されている時、図２０の跳躍コード検出部の入力信号を説明するための概念図である。
【図２５】図２０の跳躍コード検出部の作用を説明するための概念図である。
【図２６】図２５のサブグループ及び境界検出部の作用を説明するための概念図である。
【図２７】２次同期チャンネルコードシーケンス相関器出力の例示図である。
【図２８】図２６の相関度バッファーに貯蔵された相関度値を例示する図である。
【図２９】図２０のセル識別子検出部の具体的な構成を例示するブロック図である。
【図３０】本発明の一実施例によるパイロット相関器の動作を説明するための図である。
【図３１】本発明の他の一実施例によるサブグループ及び境界検出部の具体的な構成を例示するブロック図である。
【図３２Ａ】ホームセル成分除去部の動作を説明するための図である。
【図３２Ｂ】ホームセル成分除去部の動作を説明するための図である。
【図３３】本発明の一実施例による遊休モードでホームセルの精密周波数追跡、精密時間追跡及び隣接セルを探索する時に移動局のＤＲＸモードを説明するための図である。
【図１】
2009545226.tif 000026
【図２】
2009545226.tif 000027
【図３】
2009545226.tif 000028
【図４】
2009545226.tif 000029
【図５Ａ】
2009545226.tif 000030
【図５Ｂ】
2009545226.tif 000031
【図６】
2009545226.tif 000032
【図７】
2009545226.tif 000033
【図８】
2009545226.tif 000034
【図９】
2009545226.tif 000035
【図１０】
2009545226.tif 000036
【図１１】
2009545226.tif 000037
【図１２Ａ】
2009545226.tif 000038
【図１２Ｂ】
2009545226.tif 000039
【図１３Ａ】
2009545226.tif 000040
【図１３Ｂ】
2009545226.tif 000041
【図１４】
2009545226.tif 000042
【図１５】
2009545226.tif 000043
【図１６】
2009545226.tif 000044
【図１７】
2009545226.tif 000045
【図１８】
2009545226.tif 000046
【図１９】
2009545226.tif 000047
【図２０】
2009545226.tif 000048
【図２１】
2009545226.tif 000049
【図２２】
2009545226.tif 000050
【図２３】
2009545226.tif 000051
【図２４】
2009545226.tif 000052
【図２５】
2009545226.tif 000053
【図２６】
2009545226.tif 000054
【図２７】
2009545226.tif 000055
【図２８】
2009545226.tif 000056
【図２９】
2009545226.tif 000057
【図３０】
2009545226.tif 000058
【図３１】
2009545226.tif 000059
【図３２Ａ】
2009545226.tif 000060
【図３２Ｂ】
2009545226.tif 000061
【図３３】
2009545226.tif 000062
【国際調査報告】
2009545226.tif 000063
2009545226.tif 000064